(57)【要約】【課題】より効果的に情報を提示する。【解決手段】記録部には、更新者により入力された副作用情報が、その副作用情報を入力した更新者の立場に対して定められている更新者フラグに対応付けられて記録されている。表示色特定部は、同じ副作用内容の副作用情報を入力した更新者の更新者フラグの合算値を算出することで、その同じ副作用内容の副作用情報を入力した更新者の立場のそれぞれに対して定められた表示色の混合色を特定する。画像処理部は、表示色特定部により特定された混合色で、かつ副作用情報の最終更新者の立場に応じた表示形式で、副作用情報が表示される表示データを生成する。本技術はサーバに適用することができる。【選択図】図１０
2016133943.tif 000002
【特許請求の範囲】
【請求項１】
情報を入力した１または複数の入力者の立場のそれぞれに対して定められた色の混合色を特定する表示色特定部と、
前記混合色で、かつ前記情報の最終入力者の立場に応じた表示形式で前記情報を表示させる表示データを生成する表示データ生成部と
を備える情報処理装置。
【請求項２】
前記表示データ生成部は、前記最終入力者の立場に対して定められた色の下線、枠、背景、または囲み文字の枠が前記情報に対して表示される前記表示データを生成する
請求項１に記載の情報処理装置。
【請求項３】
前記情報は、薬剤の副作用に関する情報またはアレルギーに関する情報である
請求項１に記載の情報処理装置。
【請求項４】
情報を入力した１または複数の入力者の立場のそれぞれに対して定められた色の混合色を特定し、
前記混合色で、かつ前記情報の最終入力者の立場に応じた表示形式で前記情報を表示させる表示データを生成する
ステップを含む情報処理方法。
【請求項５】
情報を入力した１または複数の入力者の立場のそれぞれに対して定められた色の混合色で、かつ前記情報の最終入力者の立場に応じた表示形式で前記情報を表示させる表示データを取得する取得部と、
前記表示データに基づいて前記情報を表示させる表示制御部と
を備える情報処理装置。
【請求項６】
前記表示制御部は、指示に応じて、前記情報とその前記情報を入力した前記入力者とが前記情報の入力順に並べられて表示される記入履歴をさらに表示させる
請求項５に記載の情報処理装置。
【請求項７】
前記表示制御部は、前記記入履歴をポップアップ表示させる
請求項６に記載の情報処理装置。
【請求項８】
前記最終入力者の立場に対して定められた色の下線、枠、背景、または囲み文字の枠が前記情報に対して表示される
請求項５に記載の情報処理装置。
【請求項９】
前記情報は、薬剤の副作用に関する情報またはアレルギーに関する情報である
請求項５に記載の情報処理装置。
【請求項１０】
情報を入力した１または複数の入力者の立場のそれぞれに対して定められた色の混合色で、かつ前記情報の最終入力者の立場に応じた表示形式で前記情報を表示させる表示データを取得し、
前記表示データに基づいて前記情報を表示させる
ステップを含む情報処理方法。
【請求項１１】
入力者により入力された情報、および前記入力者の信頼度を示すスコアを記録する記録部と、
所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新するスコア管理部と
を備える情報処理装置。
【請求項１２】
前記スコア管理部は、前記非基準者である所定の前記入力者の前記スコアが所定の値となった場合、前記所定の前記入力者を前記非基準者から前記基準者に変更する
請求項１１に記載の情報処理装置。
【請求項１３】
前記情報を、その前記情報を入力した１または複数の前記入力者の前記スコアに応じた表示形式で表示させる表示データを生成する表示データ生成部をさらに備える
請求項１１に記載の情報処理装置。
【請求項１４】
前記表示データ生成部は、前記情報を入力した１または複数の前記入力者の立場のそれぞれに対して定められた色の混合色で、かつ前記スコアに応じた表示形式で前記情報を表示させる前記表示データを生成する
請求項１３に記載の情報処理装置。
【請求項１５】
前記情報は、薬剤の副作用に関する情報またはアレルギーに関する情報である
請求項１１に記載の情報処理装置。
【請求項１６】
入力者により入力された情報を、前記入力者の信頼度を示すスコアを記録する記録部に記録させ、
所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新する
ステップを含む情報処理方法。
【請求項１７】
互いに異なる１または複数の立場の入力者により入力された情報を、前記入力者の信頼度を示すスコアに応じた表示形式で表示させる表示データを取得する取得部と、
前記表示データに基づいて前記情報を表示させる表示制御部と
を備える情報処理装置。
【請求項１８】
前記表示制御部は、前記表示データに基づいて、前記情報を入力した１または複数の前記入力者の立場のそれぞれに対して定められた色の混合色で、かつ前記スコアに応じた表示形式で前記情報を表示させる
請求項１７に記載の情報処理装置。
【請求項１９】
前記情報は、薬剤の副作用に関する情報またはアレルギーに関する情報である
請求項１７に記載の情報処理装置。
【請求項２０】
互いに異なる１または複数の立場の入力者により入力された情報を、前記入力者の信頼度を示すスコアに応じた表示形式で表示させる表示データを取得し、
前記表示データに基づいて前記情報を表示させる
ステップを含む情報処理方法。
【発明の詳細な説明】
【技術分野】
【０００１】
本技術は情報処理装置および方法に関し、特に、より効果的に情報を提示することができるようにした情報処理装置および方法に関する。
【背景技術】
【０００２】
従来、１つの情報を複数の更新者が更新したり、１つの情報項目について複数の入力者が情報を入力することがある。そのような例として、例えば銀行の通帳口座の入金や引き落とし、各種のワークフローでの承認などがある。
【０００３】
また、例えば情報の入力管理に関する技術として、技術者、企業、およびエージェントに対してそれぞれ特定の色を設定しておき、それらの三者によるスキルワードに対する評価の入力状況に応じて、その評価の表示色を変化させる技術が提案されている（例えば、特許文献１参照）。
【０００４】
この技術では、スキルワードに対する評価が、そのスキルワードについて評価を入力し終えた１または複数の入力者のそれぞれに対して定められた色を混合して得られる混合色で表示される。そのため、閲覧者は、各スキルワードの評価を誰が入力したかを把握することができる。
【先行技術文献】
【特許文献】
【０００５】
【特許文献１】特開２００６−３０２２２５号公報
【発明の概要】
【発明が解決しようとする課題】
【０００６】
ところで、上述した技術は情報を入力したり、更新したりする更新者は同格であることが前提となっている。しかしながら、更新する情報によっては更新者ごとに得手、不得手があったり、更新者の専門分野や役割が異なるなど、立場の異なる複数の更新者が情報を更新する場合もある。
【０００７】
例えば患者の病状や服薬中の薬剤について観察された副作用などの健康に関する情報については、それぞれの情報の正確性に対して更新者ごとに得手、不得手がある。具体的には、医師は病状に関しての診断に優れており、薬剤師は症状と薬剤の関係の有無等の判断について優れており、患者やその家族は医療や薬剤の専門的な知識については不得手であるが、症状の観察機会が多いなどである。
【０００８】
このように各情報項目について複数の更新者がおり、それらの更新者の立場が互いに異なる場合には、どの立場の更新者によって情報が更新されているかが重要である。しかしながら、上述した技術では、互いに異なる複数の立場の更新者が情報を更新する場合には、十分効果的に情報を提示することができなかった。
【０００９】
本技術は、このような状況に鑑みてなされたものであり、より効果的に情報を提示することができるようにするものである。
【課題を解決するための手段】
【００１０】
本技術の第１の側面の情報処理装置は、情報を入力した１または複数の入力者の立場のそれぞれに対して定められた色の混合色を特定する表示色特定部と、前記混合色で、かつ前記情報の最終入力者の立場に応じた表示形式で前記情報を表示させる表示データを生成する表示データ生成部とを備える。
【００１１】
前記表示データ生成部には、前記最終入力者の立場に対して定められた色の下線、枠、背景、または囲み文字の枠が前記情報に対して表示される前記表示データを生成させることができる。
【００１２】
前記情報を、薬剤の副作用に関する情報またはアレルギーに関する情報とすることができる。
【００１３】
本技術の第１の側面の情報処理方法は、情報を入力した１または複数の入力者の立場のそれぞれに対して定められた色の混合色を特定し、前記混合色で、かつ前記情報の最終入力者の立場に応じた表示形式で前記情報を表示させる表示データを生成するステップを含む。
【００１４】
本技術の第１の側面においては、情報を入力した１または複数の入力者の立場のそれぞれに対して定められた色の混合色が特定され、前記混合色で、かつ前記情報の最終入力者の立場に応じた表示形式で前記情報を表示させる表示データが生成される。
【００１５】
本技術の第２の側面の情報処理装置は、情報を入力した１または複数の入力者の立場のそれぞれに対して定められた色の混合色で、かつ前記情報の最終入力者の立場に応じた表示形式で前記情報を表示させる表示データを取得する取得部と、前記表示データに基づいて前記情報を表示させる表示制御部とを備える。
【００１６】
前記表示制御部には、指示に応じて、前記情報とその前記情報を入力した前記入力者とが前記情報の入力順に並べられて表示される記入履歴をさらに表示させることができる。
【００１７】
前記表示制御部には、前記記入履歴をポップアップ表示させることができる。
【００１８】
前記最終入力者の立場に対して定められた色の下線、枠、背景、または囲み文字の枠が前記情報に対して表示されるようにすることができる。
【００１９】
前記情報を、薬剤の副作用に関する情報またはアレルギーに関する情報とすることができる。
【００２０】
本技術の第２の側面の情報処理方法は、情報を入力した１または複数の入力者の立場のそれぞれに対して定められた色の混合色で、かつ前記情報の最終入力者の立場に応じた表示形式で前記情報を表示させる表示データを取得し、前記表示データに基づいて前記情報を表示させるステップを含む。
【００２１】
本技術の第２の側面においては、情報を入力した１または複数の入力者の立場のそれぞれに対して定められた色の混合色で、かつ前記情報の最終入力者の立場に応じた表示形式で前記情報を表示させる表示データが取得され、前記表示データに基づいて前記情報が表示される。
【００２２】
本技術の第３の側面の情報処理装置は、入力者により入力された情報、および前記入力者の信頼度を示すスコアを記録する記録部と、所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新するスコア管理部とを備える。
【００２３】
前記スコア管理部には、前記非基準者である所定の前記入力者の前記スコアが所定の値となった場合、前記所定の前記入力者を前記非基準者から前記基準者に変更させることができる。
【００２４】
情報処理装置には、前記情報を、その前記情報を入力した１または複数の前記入力者の前記スコアに応じた表示形式で表示させる表示データを生成する表示データ生成部をさらに設けることができる。
【００２５】
前記表示データ生成部には、前記情報を入力した１または複数の前記入力者の立場のそれぞれに対して定められた色の混合色で、かつ前記スコアに応じた表示形式で前記情報を表示させる前記表示データを生成させることができる。
【００２６】
前記情報を、薬剤の副作用に関する情報またはアレルギーに関する情報とすることができる。
【００２７】
本技術の第３の側面の情報処理方法は、入力者により入力された情報を、前記入力者の信頼度を示すスコアを記録する記録部に記録させ、所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新するステップを含む。
【００２８】
本技術の第３の側面においては、入力者により入力された情報が、前記入力者の信頼度を示すスコアを記録する記録部に記録され、所定の前記入力者を基準者として、前記基準者により入力された前記情報と、前記基準者ではない非基準者である前記入力者により入力された前記情報とが一致するかの判定が行われ、前記判定の結果に応じて前記非基準者の前記スコアが更新される。
【００２９】
本技術の第４の側面の情報処理装置は、互いに異なる１または複数の立場の入力者により入力された情報を、前記入力者の信頼度を示すスコアに応じた表示形式で表示させる表示データを取得する取得部と、前記表示データに基づいて前記情報を表示させる表示制御部とを備える。
【００３０】
前記表示制御部には、前記表示データに基づいて、前記情報を入力した１または複数の前記入力者の立場のそれぞれに対して定められた色の混合色で、かつ前記スコアに応じた表示形式で前記情報を表示させることができる。
【００３１】
前記情報を、薬剤の副作用に関する情報またはアレルギーに関する情報とすることができる。
【００３２】
本技術の第４の側面の情報処理方法は、互いに異なる１または複数の立場の入力者により入力された情報を、前記入力者の信頼度を示すスコアに応じた表示形式で表示させる表示データを取得し、前記表示データに基づいて前記情報を表示させるステップを含む。
【００３３】
本技術の第４の側面においては、互いに異なる１または複数の立場の入力者により入力された情報を、前記入力者の信頼度を示すスコアに応じた表示形式で表示させる表示データが取得され、前記表示データに基づいて前記情報が表示される。
【発明の効果】
【００３４】
本技術の第１の側面乃至第４の側面によれば、より効果的に情報を提示することができる。
【００３５】
なお、ここに記載された効果は必ずしも限定されるものではなく、本開示中に記載された何れかの効果であってもよい。
【図面の簡単な説明】
【００３６】
【図１】更新者の立場と表示色について説明する図である。
【図２】副作用情報テーブルと副作用表示画像について説明する図である。
【図３】情報端末装置の構成例を示す図である。
【図４】情報管理装置の構成例を示す図である。
【図５】入力処理および更新処理を説明するフローチャートである。
【図６】表示処理および表示データ生成処理を説明するフローチャートである。
【図７】記入履歴について説明する図である。
【図８】表示処理および表示データ生成処理を説明するフローチャートである。
【図９】表示処理および抽出処理を説明するフローチャートである。
【図１０】最終更新者に応じた表示形式の副作用表示画像について説明する図である。
【図１１】最終更新者に応じた表示形式の副作用表示画像について説明する図である。
【図１２】最終更新者に応じた表示形式の副作用表示画像について説明する図である。
【図１３】最終更新者に応じた表示形式の副作用表示画像について説明する図である。
【図１４】表示処理および表示データ生成処理を説明するフローチャートである。
【図１５】副作用情報テーブルについて説明する図である。
【図１６】経路別信頼度テーブルについて説明する図である。
【図１７】更新者スコアテーブルについて説明する図である。
【図１８】集計結果について説明する図である。
【図１９】更新者スコアテーブルについて説明する図である。
【図２０】更新者スコアテーブルの更新について説明する図である。
【図２１】情報管理装置の構成例を示す図である。
【図２２】入力処理および更新処理を説明するフローチャートである。
【図２３】スコア更新処理を説明するフローチャートである。
【図２４】更新者スコアテーブルの更新について説明する図である。
【図２５】スコアに応じた表示形式の副作用表示画像について説明する図である。
【図２６】スコアに応じた表示形式の副作用表示画像について説明する図である。
【図２７】表示処理および表示データ生成処理を説明するフローチャートである。
【図２８】表示処理および抽出処理を説明するフローチャートである。
【図２９】コンピュータの構成例を示す図である。
【発明を実施するための形態】
【００３７】
以下、図面を参照して、本技術を適用した実施の形態について説明する。
【００３８】
〈第１の実施の形態〉
〈情報の表示について〉
本技術は、管理対象の情報項目を入力する更新者として、互いに異なる複数の立場の更新者が存在する場合に、より効果的に情報提示を行うことができるようにするものである。
【００３９】
具体的には、各立場に対して所定の色を割り当てて、情報項目の情報を提示する際に、その情報項目について更新を行った更新者の色を混合して得られる混合色で情報を表示するようにした。これにより、どの立場の更新者が情報を更新したかを閲覧者に簡単に把握させることができる。つまり、情報をより効果的に提示することができる。
【００４０】
このような情報提示を行うことで、提示された情報を閲覧する閲覧者は、どの立場の更新者が情報更新を行ったかを簡単に把握し、提示されている情報の重要性や信憑性を認識することができる。
【００４１】
なお、ここでいう立場は、情報更新者の役割や専門分野、専門知識の量などによって定められるものであり、入力する情報の信頼度の高さによって定まる地位ともいうことができる。したがって、互いに立場が異なる更新者とは、情報ごとに、より詳細には情報の種別ごとに、入力される情報に対する信頼度が異なる更新者であるといえる。
【００４２】
続いて、本技術の概要について説明する。
【００４３】
更新対象となる情報は、どのようなものであってもよいが、以下では患者、薬剤師、および医師の三者が、それぞれ患者、薬剤師、および医師という立場で、患者が服用する薬剤の副作用に関する情報について更新を行うものとして説明を続ける。
【００４４】
更新者としての患者、薬剤師、および医師は、例えば情報端末装置を操作してそれぞれの立場で更新対象となる情報として副作用の内容を入力し、そのようにして入力された副作用の内容がサーバ等の情報管理装置に記録されるとする。例えば、更新情報である副作用の内容は、各情報端末装置で起動させたアプリケーションプログラムを利用して入力される。
【００４５】
情報管理装置は、各情報端末装置で入力された副作用の内容を記録するとともに、それらの情報端末装置からの要求に応じて、記録している副作用の内容を表示させる表示データを生成し、情報端末装置に提供する。そして、この表示データの提供を受けた情報端末装置は、表示データに基づいて、副作用の内容が記された副作用表示画像を表示させる。
【００４６】
このとき、副作用表示画像上では、副作用の内容を入力した１または複数の入力者（更新者）の立場に応じた色で副作用の内容が表示される。
【００４７】
例えば、副作用について１または複数の更新者が入力を行うと、各更新者の立場に対して予め定められた色を混合して得られる混合色で副作用が表示される。
【００４８】
具体的には例えば図１に示すように、更新者の立場として患者P11、薬剤師P12、および医師P13が予め定められている。そして、図中の文字「M」、「Y」、および「C」により表されるように、患者P11、薬剤師P12、および医師P13に対してマゼンダ、イエロー（黄）、およびシアンが表示色として予め割り当てられている。
【００４９】
したがって、患者P11のみが副作用を入力した状態では副作用はマゼンダで表示され、薬剤師P12のみが副作用を入力した状態では副作用はイエローで表示され、医師P13のみが副作用を入力した状態では副作用はシアンで表示される。
【００５０】
また、図中の文字「R」、「G」、および「B」で表されるように、患者P11と薬剤師P12が副作用を入力した状態では副作用は赤（R）で表示され、薬剤師P12と医師P13が副作用を入力した状態では副作用は緑（G）で表示され、医師P13と患者P11が副作用を入力した状態では副作用は青（B）で表示される。さらに、図中の文字「K」で表されるように、患者P11、薬剤師P12、および医師P13が副作用を入力した状態では副作用は黒（K）で表示される。
【００５１】
このようにして副作用の入力および表示が行われる場合、情報管理装置では、各立場の更新者により入力された副作用に関する情報を図２に示すようにして管理する。
【００５２】
すなわち、情報管理装置は、矢印A11に示す副作用情報テーブルを記録しており、更新者により副作用の内容（以下、副作用情報とも称する）が入力されると、その副作用情報を副作用情報テーブルに追加して、副作用情報テーブルを更新する。
【００５３】
矢印A11に示す副作用情報テーブルには、「対象処方箋」、「副作用内容」、「更新者」、「更新者フラグ」、および「更新日時」の各欄が設けられている。
【００５４】
ここで「対象処方箋」は、入力する副作用情報がどの処方箋に関するものであるか、つまり副作用が生じた薬剤の処方箋はどれであるかを示す処方箋情報である。この「対象処方箋」の欄には処方箋を特定する処方箋IDが格納される。
【００５５】
また、「副作用内容」の欄には、更新者（入力者）により入力された副作用の内容を示す副作用情報が格納され、「更新者」の欄には、副作用情報を入力した更新者を示す更新者情報が格納される。さらに、「更新者フラグ」の欄には、更新者情報により示される更新者の立場を示す情報である更新者フラグが格納され、「更新日時」の欄には、副作用情報テーブルの更新日時、すなわち副作用情報が追加された日時を示す更新日時情報が格納される。
【００５６】
したがって、例えば副作用情報テーブルの図中、一番下に記録されている情報は、更新者である患者「本人」により、処方箋ID「3」により特定される処方箋について入力された、副作用の内容が「めまい」である副作用情報を含む情報である。また、この情報の更新日時は2014年1月15日の10時であり、更新者である患者の立場を示す更新者フラグは「4」となっている。
【００５７】
情報管理装置は、副作用情報が入力されるたびに、新たな処方箋ID、副作用情報、更新者情報、更新者フラグ、および更新日時情報を対応付けて副作用情報テーブルに追加し、副作用情報テーブルを更新する。
【００５８】
また、ここでは矢印A12に示すように、「医師」、「薬剤師」、および「患者」の各立場に対して、更新者フラグの値として「1」、「2」、および「4」が定められている。
【００５９】
情報管理装置は、表示データの生成時には、対象となる処方箋IDについて記録されている副作用情報により示される副作用内容ごとに、副作用情報を入力した更新者の更新者フラグの合算値を求め、その合算値から副作用情報の表示色を特定する。
【００６０】
この例では、合算値「4」、「2」、「1」、「6」、「3」、「5」、および「7」に対して、それぞれ「マゼンダ」、「イエロー」、「シアン」、「赤」、「緑」、「青」、および「黒」が定められている。したがって、更新者フラグの合算値に対して定められている色で副作用情報を表示すれば、図１を参照して説明したように、副作用情報を入力した１または複数の更新者の立場に応じた色で、副作用情報が表示されることになる。
【００６１】
例えば2014年1月1日時点で、患者本人が発疹が出ていることに気付き、処方箋ID「1」について副作用内容として「発疹」を入力したとする。
【００６２】
この時点では、矢印A13に示すように処方箋ID「1」について入力された副作用内容は、「発疹」のみであり、その副作用内容「発疹」を入力した更新者の更新者フラグの合算値は「4」である。したがって、この時点では副作用表示画像として、矢印A14に示す画像が表示される。矢印A14に示す副作用表示画像では、副作用情報として矢印B11に示す文字「発疹」が表示されており、この副作用情報「発疹」は、更新者フラグの合算値「4」により定まる表示色「マゼンダ」で表示されている。
【００６３】
また、2014年1月2日に患者がかかりつけの薬局「△△薬局」に行き、薬剤師に発疹について相談したところ、薬剤師により発疹であると確認され、患者は通院を勧められた。そして、薬局「△△薬局」の薬剤師は、2014年1月2日に処方箋ID「1」について副作用内容として「発疹」を入力したとする。
【００６４】
この時点で、矢印A15に示すように処方箋ID「1」について入力された副作用内容「発疹」の更新者フラグの合算値は「6」となる。したがって、この時点で副作用表示画像を表示すると、矢印A16に示す画像が表示される。矢印A16に示す副作用表示画像では、副作用情報として矢印B12に示す文字「発疹」が表示されており、この副作用情報「発疹」は、更新者フラグの合算値「6」により定まる表示色「赤」で表示されている。
【００６５】
さらに、2014年1月3日に患者が病院「○○医院」に行き、診察を受けたところ、医師により発疹であると確認された他、問診でから咳が出ていることも発覚した。そこで、病院「○○医院」の医師は、2014年1月3日に処方箋ID「1」について副作用内容として「発疹」および「から咳」を入力した。
【００６６】
この時点で、矢印A17に示すように処方箋ID「1」について入力された副作用内容「発疹」の更新者フラグの合算値は「7」となり、新たに副作用内容が「から咳」である副作用情報が追加され、その副作用内容「から咳」の更新者フラグの合算値は「1」とされる。
【００６７】
したがって、この時点で副作用表示画像を表示すると、矢印A18に示す画像が表示される。矢印A18に示す副作用表示画像では、副作用情報として矢印B13に示す文字「発疹」と矢印B14に示す文字「から咳」とが表示されている。また、副作用情報「発疹」は、更新者フラグの合算値「7」により定まる表示色「黒」で表示され、副作用情報「から咳」は、更新者フラグの合算値「1」により定まる表示色「シアン」で表示されている。
【００６８】
以上のようにして副作用表示画像では、どの立場の更新者が副作用情報を入力したかに応じて、つまり更新者フラグの合算値に応じて副作用情報の表示色が変化する。
【００６９】
このように副作用情報の表示色を変化させることで、副作用表示画像を閲覧した患者や、患者の家族、薬剤師、医師等の閲覧者は、どの立場の更新者が情報更新を行ったかを簡単に把握し、提示されている情報の重要性や信憑性を認識することができる。
【００７０】
例えば患者が薬剤師に相談に来た時点で、薬剤師が矢印A14に示した副作用表示画像を見れば、薬剤師は患者本人だけが副作用を入力していることを即座に把握することができる。これにより、薬剤師は副作用「発疹」についてより慎重に観察を行い、医師への相談を勧めることができる。
【００７１】
また、副作用表示画像では、各副作用情報の表示色で、どの立場の更新者が更新を行ったかを把握することができるようになされているので、より少ない表示スペースで、より多くの情報を効果的に提示することができる。
【００７２】
〈情報端末装置の構成例〉
次に、以上において説明した本技術を適用した具体的な実施の形態について説明する。
【００７３】
図３は、本技術を適用した情報端末装置の構成例を示す図である。なお、この情報端末装置１１は、患者や薬剤師、医師など、各立場の更新者が副作用情報を入力するのに用いるものであり、以下においては、情報端末装置１１がどの立場の更新者が使用（所有）するものであるかを特に区別せずに説明を行うこととする。
【００７４】
情報端末装置１１は、受信部２１、送信部２２、入力部２３、制御部２４、記録部２５、および表示部２６を有している。
【００７５】
受信部２１は、インターネット等のネットワークを介して接続されている情報管理装置から送信されてきた各種の情報を受信して制御部２４に供給する。すなわち、受信部２１は、ネットワークを介して各種の情報を取得する。送信部２２は、制御部２４から供給された各種の情報を、インターネット等のネットワークを介して接続されている情報管理装置に送信する。
【００７６】
入力部２３は、例えばマウスやボタン、キーボード、表示部２６に重畳して設けられたタッチパネルなどからなり、更新者の入力操作に応じた信号を制御部２４に供給する。
【００７７】
制御部２４は、入力部２３から供給された信号や受信部２１から供給された情報などに応じて、情報端末装置１１全体の動作を制御する。制御部２４は、情報取得部３１、表示制御部３２、表示色特定部３３、および画像処理部３４を有している。なお、これらの情報取得部３１乃至画像処理部３４は相互に情報を授受することが可能となっている。
【００７８】
情報取得部３１は、更新者の入力部２３に対する操作に応じて、入力部２３から各種の情報を取得する。表示制御部３２は、表示部２６での画像の表示を制御する。
【００７９】
表示色特定部３３は、表示部２６に表示する副作用表示画像を情報端末装置１１が生成する場合に、副作用情報等の表示色を特定する。画像処理部３４は、必要に応じて副作用表示画像等を生成する。なお、これらの表示色特定部３３および画像処理部３４は、情報端末装置１１で副作用表示画像を生成しない場合には、特に設けられている必要はない。
【００８０】
記録部２５は、制御部２４から供給された各種の情報やプログラムなどを記録しており、必要に応じて記録している情報等を制御部２４に供給する。表示部２６は、例えば液晶表示パネルなどからなり、表示制御部３２の制御に従って画像を表示する。
【００８１】
〈情報管理装置の構成例〉
また、情報端末装置１１とネットワークを介して通信し、副作用情報テーブルを管理する情報管理装置は、例えば図４に示すように構成される。
【００８２】
図４に示す情報管理装置６１は、受信部７１、送信部７２、制御部７３、および記録部７４を有している。
【００８３】
受信部７１は、インターネット等のネットワークを介して接続されている情報端末装置１１から送信されてきた各種の情報を受信して制御部７３に供給する。送信部７２は、制御部７３から供給された各種の情報を、インターネット等のネットワークを介して接続されている情報端末装置１１に送信する。
【００８４】
制御部７３は、受信部７１から供給された情報などに応じて、情報管理装置６１全体の動作を制御する。制御部７３は、記録制御部８１、表示色特定部８２、および画像処理部８３を有している。なお、これらの記録制御部８１乃至画像処理部８３は相互に情報を授受することが可能となっている。
【００８５】
記録制御部８１は、副作用情報などの各種の情報の記録部７４への記録を制御する。表示色特定部８２は、記録部７４に記録されている副作用情報テーブルに基づいて、副作用表示画像における副作用情報等の表示色を特定する。画像処理部８３は、記録部７４に記録されている副作用情報テーブルや表示色特定部８２による特定結果に基づいて、副作用表示画像を生成する。
【００８６】
記録部７４は、制御部７３から供給された各種の情報や、副作用情報テーブル、プログラムなどを記録しており、必要に応じて記録している情報等を制御部７３に供給する。
【００８７】
〈入力処理および更新処理の説明〉
ところで、上述した情報端末装置１１を患者等の更新者が操作してアプリケーションプログラムを起動させると、情報端末装置１１は更新者の操作に応じて副作用情報テーブルの更新を情報管理装置６１に要求する入力処理を行う。また、副作用情報テーブルの更新要求を受けた情報管理装置６１は、更新処理を行って、副作用情報テーブルを更新する。
【００８８】
以下、図５のフローチャートを参照して、情報端末装置１１による入力処理、および情報管理装置６１による更新処理について説明する。
【００８９】
ステップＳ１１において、情報端末装置１１の情報取得部３１は、処方箋ID、副作用情報、および更新者情報の入力を受け付ける。
【００９０】
すると更新者は、入力部２３を操作して、処方箋ID、副作用情報、および更新者情報を入力する。例えば副作用情報などは、プルダウンメニューから選択することができるようにしてもよいし、ログイン情報などから更新者が特定できる場合には、情報取得部３１が特定された更新者を示す更新者情報を記録部２５などから取得してもよい。
【００９１】
情報取得部３１は、更新者の入力部２３に対する操作に応じて、入力部２３から更新者により入力された処方箋ID、副作用情報、および更新者情報を取得し、それらの処方箋ID、副作用情報、および更新者情報を、副作用情報テーブルの更新要求とともに送信部２２に供給する。
【００９２】
ステップＳ１２において、送信部２２は、情報取得部３１から供給された処方箋ID、副作用情報、および更新者情報と、副作用情報テーブルの更新要求とをネットワークを介して情報管理装置６１に送信し、入力処理は終了する。
【００９３】
このようにして副作用情報テーブルの更新要求等が送信されると、ステップＳ２１において、情報管理装置６１の受信部７１は、情報端末装置１１から送信されてきた処方箋ID、副作用情報、および更新者情報と、副作用情報テーブルの更新要求とを受信して制御部７３に供給する。
【００９４】
ステップＳ２２において、記録制御部８１は、処方箋ID、副作用情報、更新者情報、更新者フラグ、および更新日時情報を記録部７４に供給して記録させる。
【００９５】
すなわち、記録制御部８１は、副作用情報テーブルの更新要求に応じて、現在日時を示す更新日時情報を生成するとともに、必要に応じて記録部７４に記録されている情報を参照して、受信部７１から供給された更新者情報により示される更新者の立場を特定し、その立場を示す更新者フラグを生成する。
【００９６】
そして、記録制御部８１は、受信部７１から供給された処方箋ID、副作用情報、および更新者情報と、生成した更新者フラグおよび更新日時情報とを記録部７４に供給し、既に記録部７４に記録されている副作用情報テーブルに追記させる。これにより、副作用情報テーブルが更新される。
【００９７】
このようにして副作用情報テーブルが更新されると、更新処理は終了する。
【００９８】
なお、多くの場合、各更新者は自身が所有する情報端末装置１１を用いて副作用情報を入力することから、情報管理装置６１の通信相手である情報端末装置１１が特定されると、更新者も特定されることが殆どである。そこで、例えば情報管理装置６１が、情報端末装置１１から更新者情報を受信せずに、通信相手である情報端末装置１１やアプリケーションプログラムのログイン情報などから更新者を特定し、更新者情報および更新者フラグを得るようにしてもよい。また、情報端末装置１１ごとに予め更新者フラグが設定されており、入力された副作用情報等とともに更新者フラグが情報端末装置１１から情報管理装置６１へと送信されるようにしてもよい。
【００９９】
以上のようにして、情報端末装置１１は更新者の操作に応じて副作用情報等を取得して情報管理装置６１に送信し、情報管理装置６１は、情報端末装置１１から受信した副作用情報等を記録部７４に記録させて副作用情報テーブルを更新する。このようにして副作用情報テーブルを更新する際に、更新者情報や更新者フラグも記録しておくことで、更新者の立場に応じた表示色で副作用情報を表示させることができ、より効果的に情報を提示することができるようになる。
【０１００】
また、副作用情報を複数の異なる立場の更新者が入力すれば、信頼度の異なる複数の副作用情報が得られることになる。このような副作用情報を集計して利用すれば、例えば患者本人と医師との間での副作用に関する認識の一致や齟齬などが判明するので、医薬品の効果や研究に役立てることができる。
【０１０１】
〈表示処理および表示データ生成処理の説明〉
また、情報端末装置１１では、副作用情報テーブルが更新されたタイミングや、閲覧者により副作用表示画像の表示が指示されたタイミングなど、任意のタイミングで副作用表示画像を表示させることができる。以下、図６のフローチャートを参照して、情報端末装置１１による表示処理、および情報管理装置６１による表示データ生成処理について説明する。
【０１０２】
例えば副作用表示画像の表示を指示する場合、患者や患者の家族、薬剤師、医師等の閲覧者は入力部２３を操作して、対象となる処方箋を示す処方箋IDを入力する。すると、ステップＳ６１において、情報取得部３１は、閲覧者の操作に応じて入力部２３から供給された処方箋IDを取得して、副作用表示画像の送信要求とともに送信部２２に供給する。
【０１０３】
ステップＳ６２において、送信部２２は、情報取得部３１から供給された処方箋IDおよび副作用表示画像の送信要求をネットワークを介して情報管理装置６１に送信する。
【０１０４】
すると、ステップＳ７１において、情報管理装置６１の受信部７１は、情報端末装置１１から送信されてきた処方箋IDおよび副作用表示画像の送信要求を受信して制御部７３に供給する。
【０１０５】
ステップＳ７２において、表示色特定部８２は副作用表示画像の送信要求に応じて、受信部７１から供給された処方箋IDについて、記録部７４の副作用情報テーブルに記録されている副作用情報により示される副作用内容ごとに、更新者フラグの合算値を算出する。
【０１０６】
例えば図２に示した副作用情報テーブルが記録部７４に記録されており、処方箋IDが「1」である場合、表示色特定部８２は副作用情報テーブルを参照して、処方箋ID「1」について記録されている副作用情報により示される副作用内容「発疹」および「から咳」を特定する。
【０１０７】
この例では、副作用内容「発疹」を入力した更新者は、「本人」、「△△薬局」、および「○○医院」であるから、表示色特定部８２は、それらの更新者の更新者フラグの値を合算（加算）し、合算値として「7」を算出する。例えば更新者フラグの合算は、二進数によるOR演算を行うことで実現することができる。
【０１０８】
また、副作用内容「から咳」を入力した更新者は「○○医院」のみであるから、表示色特定部８２は、その更新者の更新者フラグの値「1」を、更新者フラグの合算値とする。
【０１０９】
これにより、副作用情報としての「発疹」の表示色が合算値「7」に対して定められた黒であると特定され、副作用情報としての「から咳」の表示色が合算値「1」に対して定められたシアンであると特定されたことになる。
【０１１０】
このように表示色特定部８２は、更新者フラグの合算値を算出することで、同じ副作用内容の副作用情報を入力した更新者の立場のそれぞれに対して定められた表示色の混合色を特定する。
【０１１１】
ステップＳ７３において、画像処理部８３は、受信部７１から供給された処方箋IDと、表示色特定部８２により算出された更新者フラグの合算値とに基づいて、更新者フラグの合算値に応じた表示色で副作用情報が表示される副作用表示画像の表示データを生成する。
【０１１２】
例えば図２に示した副作用情報テーブルが記録部７４に記録されており、処方箋IDが「1」である場合、画像処理部８３は図２の矢印A18に示した副作用表示画像を表示させる表示データを生成し、送信部７２に供給する。
【０１１３】
ステップＳ７４において、送信部７２は画像処理部８３から供給された表示データを、ネットワークを介して情報端末装置１１に送信し、表示データ生成処理は終了する。
【０１１４】
また、情報端末装置１１では、ステップＳ６３において、受信部２１は、情報管理装置６１から送信されてきた表示データを受信して制御部２４に供給する。すなわち、受信部２１は、情報管理装置６１から表示データを取得する。
【０１１５】
そして、ステップＳ６４において、表示制御部３２は、受信部２１から供給された表示データを表示部２６に供給するとともに、表示部２６を制御して、表示データに基づいて副作用表示画像を表示させ、表示処理は終了する。
【０１１６】
以上のようにして、情報管理装置６１は、副作用内容ごとに更新者フラグの合算値を算出し、その合算値に応じた表示色で副作用情報が表示される表示データを生成する。また、情報端末装置１１は、情報管理装置６１から受信した表示データに基づいて、副作用情報が１または複数の更新者の立場に応じた表示色で表示される副作用表示画像を表示する。
【０１１７】
このようにして更新者フラグの合算値を利用して、１または複数の更新者の立場に応じた表示色で副作用情報が表示される副作用表示画像を生成することで、表示面積が小さい場合でも、より効果的に副作用情報を提示することができる。
【０１１８】
〈第１の実施の形態の変形例１〉
〈記入履歴の表示について〉
なお、以上においては副作用表示画像には副作用情報のみが表示されると説明した。これは、副作用表示画像上に表示される文字等が多くなりすぎると、見にくくなるためである。しかし、場合によっては、閲覧者は副作用情報のみならず、より詳細な情報を得たい場合もある。そこで、例えば図７に示すように、副作用情報の記入履歴も表示されるようにしてもよい。なお、図７において図２における場合と対応する部分には同一の符号を付してあり、その説明は適宜省略する。
【０１１９】
図７では、矢印A14に示す副作用表示画像は、図２の矢印A14に示す副作用表示画像と同じものとなっている。このような副作用表示画像が表示されている状態で、閲覧者が例えば表示部２６に表示されている副作用表示画像上をタップ（タッチ）するなどして入力部２３を操作し、記入履歴の表示を指示すると、例えば矢印A31に示すように副作用表示画像に対して、さらに記入履歴IP11が表示される。
【０１２０】
この記入履歴IP11には、この時点で情報管理装置６１に記録されている副作用情報と、その副作用情報を入力した更新者情報とが表示されており、それらの副作用情報と更新者情報とは、その更新者情報により示される更新者の立場に対して定められた色で表示されている。この例では、副作用情報と更新者情報を表す文字「発疹：本人」が、更新者情報「本人」の立場「患者」に対して定められた表示色であるマゼンダで表示されている。
【０１２１】
なお、ここでは記入履歴は、副作用表示画像に対してポップアップ表示（重畳表示）されているが、記入履歴が副作用表示画像上に表示されるなど、どのような表示形態で表示されるようにしてもよい。
【０１２２】
また、図７中、矢印A16に示す副作用表示画像が表示されている状態で、閲覧者が入力部２３を操作し、記入履歴の表示を指示すると、例えば矢印A32に示すように副作用表示画像に対して、さらに記入履歴IP12が表示される。
【０１２３】
この記入履歴IP12には、更新者ごとに、副作用情報とその副作用情報を入力した更新者情報とが、更新者の立場に対して定められた色で、かつ副作用情報が入力された順番で表示されている。
【０１２４】
すなわち、副作用情報「発疹」と更新者情報「本人」を表す文字「発疹：本人」が、更新者情報「本人」の立場「患者」に対して定められた表示色であるマゼンダで表示されている。また、副作用情報「発疹」と更新者情報「△△薬局」を表す文字「発疹：△△薬局」が、更新者情報「△△薬局」の立場「薬剤師」に対して定められた表示色であるイエローで表示されている。これにより、閲覧者は、副作用情報だけでなく、各副作用情報を入力した更新者、および副作用情報が入力された順番を知ることができる。
【０１２５】
さらに、図７中、矢印A18に示す副作用表示画像が表示されている状態で、閲覧者が入力部２３を操作し、記入履歴の表示を指示すると、例えば矢印A33に示すように副作用表示画像に対して、さらに記入履歴IP13が表示される。
【０１２６】
この記入履歴IP13には、各副作用情報について、更新者ごとに副作用情報とその副作用情報を入力した更新者情報とが、更新者の立場に対して定められた色で、かつ副作用情報が入力された順番で表示されている。
【０１２７】
すなわち、記入履歴IP12における場合と同じ表示色で、副作用情報と更新者情報を表す文字「発疹：本人」、および「発疹：△△薬局」が表示されている。また、副作用情報「発疹」と更新者情報「○○医院」を表す文字「発疹：○○医院」が、更新者情報「○○医院」の立場「医師」に対して定められた表示色であるシアンで表示されている。さらに、副作用情報「から咳」と更新者情報「○○医院」を表す文字「から咳：○○医院」が、更新者情報「○○医院」の立場「医師」に対して定められた表示色であるシアンで表示されている。
【０１２８】
このように閲覧者の指示に応じて、適宜、記入履歴も表示されるようにすることで、さらに効果的に情報を提示することができる。例えば閲覧者は記入履歴から、副作用情報のより詳細な記入の履歴を知ることができる。また、各副作用情報と更新者情報が、更新者の立場に対して定められた表示色で表示されるので、閲覧者は瞬時に情報内容を把握することができる。
【０１２９】
〈表示処理および表示データ生成処理の説明〉
このように閲覧者の指示に応じて記入履歴が表示される場合、例えば表示処理および表示データ生成処理として、図８に示す処理が行われる。
【０１３０】
以下、図８のフローチャートを参照して、情報端末装置１１による表示処理、および情報管理装置６１による表示データ生成処理について説明する。なお、ステップＳ１１１およびステップＳ１１２の処理と、ステップＳ１２１乃至ステップＳ１２３の処理は、図６のステップＳ６１およびステップＳ６２の処理と、ステップＳ７１乃至ステップＳ７３の処理と同様であるので、その説明は省略する。
【０１３１】
ステップＳ１２４において、画像処理部８３は、受信部７１から供給された処方箋IDに基づいて、記入履歴の表示データを生成し、送信部７２に供給する。
【０１３２】
例えば、図２に示した副作用情報テーブルが記録部７４に記録されており、処方箋IDが「1」である場合、画像処理部８３は副作用情報テーブルを参照して、処方箋ID「1」について記録されている副作用情報により示される副作用内容「発疹」および「から咳」を特定する。さらに画像処理部８３は、それらの副作用内容「発疹」および「から咳」を入力した更新者を示す更新者情報「本人」、「△△薬局」、および「○○医院」を特定する。
【０１３３】
そして、画像処理部８３は各副作用内容（副作用情報）と、その副作用内容の更新者情報とが、入力順（更新順）に並べられて、かつ各副作用内容および更新者情報が更新者の立場に対して定められた表示色で表示される記入履歴を表示させる表示データを生成する。これにより、例えば図７の記入履歴IP13を表示させる表示データが生成される。
【０１３４】
なお、より詳細には、記入履歴の表示データは、副作用表示画像の表示データと対応付けられている状態、つまりリンクしている状態とされる。
【０１３５】
このようにして副作用表示画像の表示データと、記入履歴の表示データとが生成されて送信部７２に供給されると、ステップＳ１２５において、送信部７２は、画像処理部８３から供給された、副作用表示画像の表示データ、および記入履歴の表示データを、ネットワークを介して情報端末装置１１に送信する。表示データが送信されると、表示データ生成処理は終了する。
【０１３６】
また、ステップＳ１１３において、情報端末装置１１の受信部２１は、情報管理装置６１から送信されてきた表示データを受信して制御部２４に供給する。
【０１３７】
そして、ステップＳ１１４において、表示制御部３２は、受信部２１から供給された副作用表示画像の表示データを表示部２６に供給するとともに、表示部２６を制御して、表示データに基づいて副作用表示画像を表示させる。
【０１３８】
また、副作用表示画像が表示されている状態で、閲覧者が入力部２３を操作して、記入履歴の表示を指示すると、表示制御部３２は、受信部２１から供給された記入履歴の表示データを表示部２６に供給し、記入履歴を表示させる。例えば、記入履歴は、上述したように副作用表示画像に重畳して表示される。また、記入履歴が表示されている状態で、閲覧者が、例えば副作用表示画像をタップするなどして入力部２３を操作し、記入履歴の表示の解除（表示停止）を指示すると、表示制御部３２は表示部２６を制御し、記入履歴の表示を解除させる。つまり、表示制御部３２は副作用表示画像のみが表示された状態とする。
【０１３９】
このようにして副作用表示画像が表示されると、表示処理は終了する。
【０１４０】
なお、この例では、予め記入履歴の表示データが生成されて情報端末装置１１に送信されると説明したが、副作用表示画像が表示されている状態で、情報端末装置１１から要求がなされたときに、記入履歴の表示データが生成されるようにしてもよい。そのような場合、情報管理装置６１は、情報端末装置１１からの要求に応じて記入履歴の表示データを生成し、情報端末装置１１に送信する。そして、情報端末装置１１は、情報管理装置６１から受信した記入履歴の表示データに基づいて、既に表示されている副作用表示画像に重畳して記入履歴を表示させる。
【０１４１】
以上のようにして、情報管理装置６１は、副作用表示画像および記入履歴の表示データを生成して情報端末装置１１に送信し、情報端末装置１１は、情報管理装置６１から受信した表示データに基づいて、副作用表示画像や記入履歴を表示させる。
【０１４２】
このようにして副作用表示画像だけでなく、適宜、記入履歴も表示させることで、さらに効果的に副作用に関する情報を提示することができる。
【０１４３】
〈第１の実施の形態の変形例２〉
〈表示処理および抽出処理の説明〉
さらに、以上においては、情報管理装置６１において表示データを生成すると説明したが、情報端末装置１１側で表示データを生成するようにしてもよい。そのような場合、例えば表示処理および抽出処理が行われる。
【０１４４】
以下、図９のフローチャートを参照して、情報端末装置１１による表示処理、および情報管理装置６１による抽出処理について説明する。なお、ステップＳ１６１、ステップＳ１６２、およびステップＳ１７１の処理は、図６のステップＳ６１、ステップＳ６２、およびステップＳ７１の処理と同様であるので、その説明は省略する。
【０１４５】
ステップＳ１７２において、制御部７３は、受信部７１から供給された処方箋IDに基づいて、その処方箋IDに対応付けられて記録部７４の副作用情報テーブルに格納されている副作用情報、更新者情報、更新者フラグ、および更新日時情報を抽出し、送信部７２に供給する。
【０１４６】
ステップＳ１７３において、送信部７２は、制御部７３から供給された副作用情報、更新者情報、更新者フラグ、および更新日時情報を、ネットワークを介して情報端末装置１１に送信し、抽出処理は終了する。
【０１４７】
また、情報端末装置１１では、ステップＳ１６３において、受信部２１は情報管理装置６１から送信されてきた副作用情報、更新者情報、更新者フラグ、および更新日時情報を受信して制御部２４に供給する。
【０１４８】
ステップＳ１６４において、表示色特定部３３は、受信部２１から供給された副作用情報および更新者フラグに基づいて、副作用情報により示される副作用内容ごとに、更新者フラグの合算値を算出する。すなわち、ステップＳ１６４では、図６のステップＳ７２の処理と同様の処理が行われる。
【０１４９】
ステップＳ１６５において、画像処理部３４は、受信部２１から供給された副作用情報と、表示色特定部３３により算出された更新者フラグの合算値とに基づいて、更新者フラグの合算値に応じた表示色で副作用情報が表示される副作用表示画像の表示データを生成する。
【０１５０】
ステップＳ１６６において、画像処理部３４は、受信部２１から供給された副作用情報、更新者情報、更新者フラグ、および更新日時情報に基づいて、記入履歴の表示データを生成する。例えば、記入履歴における副作用情報と更新者情報の表示順および表示色は、それぞれ更新日時情報および更新者フラグにより定められる。ステップＳ１６６では、図８のステップＳ１２４と同様の処理が行われる。
【０１５１】
ステップＳ１６７において、表示制御部３２は、画像処理部３４により生成された副作用表示画像の表示データを表示部２６に供給するとともに、表示部２６を制御して、表示データに基づいて副作用表示画像を表示させる。また、表示制御部３２は、閲覧者からの指示に応じて、適宜、記入履歴の表示データに基づいて記入履歴を表示させたり、記入履歴の表示を解除したりする。副作用表示画像が表示されると、表示処理は終了する。
【０１５２】
以上のようにして、情報端末装置１１は、情報管理装置６１から必要な情報を取得して、副作用表示画像および記入履歴の表示データを生成し、副作用表示画像や記入履歴を表示する。このとき、副作用情報が更新者フラグの合算値に対して定められた表示色で表示されるようにしたり、記入履歴の副作用情報と更新者情報が更新者の立場に対して定められた表示色で表示されるようにしたりすることで、より効果的に情報を提示することができる。
【０１５３】
〈第２の実施の形態〉
〈副作用表示画像の表示例１〉
ところで、以上においては副作用表示画像において、副作用情報として同じ副作用内容を入力した１または複数の更新者のそれぞれの立場に対して定められた色の混合色で、各副作用情報が表示される例について説明した。さらに、これに加えて、副作用情報の最終更新者の立場に応じた表示形式で、各副作用情報が表示されるようにしてもよい。
【０１５４】
最終更新者の立場に応じた表示形式で、かつ副作用情報を入力した１または複数の更新者の立場に応じた表示色で各副作用情報を表示すれば、閲覧者は副作用表示画像からさらに多くの情報を得ることができるようになる。つまり、さらに効果的に副作用情報を提示することができるようになる。
【０１５５】
なお、更新者が複数いる場合に最終更新者の立場に応じた表示形式、かつ副作用情報を入力した複数の更新者の立場に応じた表示色で副作用情報を表示し、更新者が１人である場合には、図２を参照して説明したように、副作用情報を入力した更新者の立場に応じた表示色で副作用情報を表示するようにしてもよい。すなわち、閲覧者が副作用表示画像を見たときに、最終更新者がどのような立場であるかが把握できるような表示形態であればよい。
【０１５６】
このように最終更新者の立場が把握できるような表示を行う場合、副作用表示画像は例えば図１０に示すようなものとされる。
【０１５７】
すなわち、例えば副作用情報テーブルが図２の矢印A13や矢印A15に示す状態である場合には、図１０の矢印A51に示す副作用表示画像が表示される。この副作用表示画像では、副作用情報として矢印B31に示す文字「発疹」が表示されており、さらにその「発疹」の図中、下側に矢印B32に示す下線が表示されている。この下線は、副作用情報「発疹」の最新更新者の立場に対して定められた色で表示される。
【０１５８】
したがって、例えば副作用情報テーブルが図２の矢印A13に示した状態では、矢印B31に示す副作用情報「発疹」、および矢印B32に示す下線は、ともに更新者「本人」の立場、つまり更新者フラグの合算値「4」に対して定められた表示色「マゼンダ」で表示される。
【０１５９】
そして、その後、副作用情報テーブルが図２の矢印A15に示した状態となると、矢印B31に示す副作用情報「発疹」は、更新者フラグの合算値「6」に対して定められた表示色「赤」で表示され、矢印B32に示す下線は最終更新者「△△薬局」の立場に対して定められた表示色「イエロー」で表示されることになる。
【０１６０】
さらに、その後、副作用情報テーブルが図２の矢印A17に示した状態となると、図１０の矢印A52に示す副作用表示画像が表示される。この副作用表示画像では、矢印B33に示す副作用情報「発疹」および、矢印B34に示す、副作用情報「発疹」の最終更新者を示す下線と、矢印B35に示す副作用情報「から咳」および、矢印B36に示す、副作用情報「から咳」の最終更新者を示す下線とが表示されている。
【０１６１】
この例では、矢印B33に示す副作用情報「発疹」は、更新者フラグの合算値「7」に対して定められた表示色「黒」で表示され、矢印B34に示す下線は最終更新者「○○医院」の立場に対して定められた表示色「シアン」で表示されることになる。また、矢印B35に示す副作用情報「から咳」は、更新者フラグの合算値「1」に対して定められた表示色「シアン」で表示され、矢印B36に示す下線は最終更新者「○○医院」の立場に対して定められた表示色「シアン」で表示される。
【０１６２】
このように副作用表示画像において、各副作用情報に下線を付し、それらの下線を副作用情報の最終更新者の立場に対して定められた表示色とすれば、閲覧者は、各副作用情報の最終更新者を瞬時に把握することができる。
【０１６３】
例えば、矢印A51に示す副作用表示画像において、矢印B31に示す副作用情報「発疹」が「赤」で表示され、矢印B32に示す下線が「イエロー」で表示されており、このような副作用表示画像を、患者が診察に来たタイミングで、医師が閲覧したとする。
【０１６４】
この場合、副作用表示画像を見た医師は、副作用情報の表示色と下線の表示色とから、まずは患者が副作用情報を入力し、続いて薬剤師が副作用情報を入力したことを瞬時に把握することができる。つまり、この例では、誰が副作用情報を入力したかだけでなく、副作用情報が入力された順番や、最終更新者も把握することができる。
【０１６５】
したがって、このような副作用表示画像を見た医師は、患者が副作用情報を入力してから薬剤師に相談に行き、薬剤師も患者と同じ副作用情報を入力しているから、この副作用情報「発疹」はかなりの程度妥当なものであろうと見当をつけて診察を行うことができる。
【０１６６】
また、例えば薬剤師が患者から所定の薬剤の副作用について相談を受けたときに、以前に患者が同じ薬剤を服薬しているときに入力された副作用情報についての副作用表示画像として、矢印A52に示す副作用表示画像を閲覧したとする。
【０１６７】
このとき、薬剤師は、誰が副作用情報を入力したかだけでなく、最終更新者であり、かつ副作用の診察に対して最も知識を有する立場である医師が入力した副作用情報「発疹」および「から咳」を参考にして、対応を行うことができる。これにより、薬剤師は、例えば患者に対してより専門的なアドバイスなどを行うことができるようになるだけでなく、副作用表示画像を見た患者も自身の副作用について、より的確に把握することができる。
【０１６８】
このように、最終更新者の立場に応じた表示形式で、かつ副作用情報を入力した１または複数の更新者の立場に応じた表示色で副作用情報が表示されるようにすれば、さらに効果的に情報を提示することができる。
【０１６９】
〈副作用表示画像の表示例２〉
また、最終更新者を示す下線を副作用情報に付加するのではなく、例えば図１１に示すように最終更新者を示す枠を副作用情報に付加してもよい。
【０１７０】
例えば副作用情報テーブルが図２の矢印A13や矢印A15に示す状態である場合には、図１１の矢印A61に示す副作用表示画像が表示される。この副作用表示画像では、副作用情報として矢印B41に示す文字「発疹」が表示されており、さらにその「発疹」を囲むように矢印B42に示す枠が表示されている。この枠は、副作用情報「発疹」の最新更新者の立場に対して定められた色で表示される。
【０１７１】
したがって、例えば副作用情報テーブルが図２の矢印A13に示した状態では、矢印B41に示す副作用情報「発疹」および矢印B42に示す枠は、表示色「マゼンダ」で表示される。
【０１７２】
そして、その後、副作用情報テーブルが図２の矢印A15に示した状態となると、矢印B41に示す副作用情報「発疹」は表示色「赤」で表示され、矢印B42に示す枠は表示色「イエロー」で表示されることになる。
【０１７３】
さらに、その後、副作用情報テーブルが図２の矢印A17に示した状態となると、図１１の矢印A62に示す副作用表示画像が表示される。この副作用表示画像では、矢印B43に示す副作用情報「発疹」および、矢印B44に示す、副作用情報「発疹」の最終更新者を示す枠と、矢印B45に示す副作用情報「から咳」および、矢印B46に示す、副作用情報「から咳」の最終更新者を示す枠とが表示されている。
【０１７４】
この例では、矢印B43に示す副作用情報「発疹」は表示色「黒」で表示され、矢印B44に示す枠は表示色「シアン」で表示されている。また、矢印B45に示す副作用情報「から咳」は表示色「シアン」で表示され、矢印B46に示す枠は表示色「シアン」で表示される。
【０１７５】
〈副作用表示画像の表示例３〉
さらに、例えば図１２に示すように最終更新者を示す背景を副作用情報に対して付加してもよい。
【０１７６】
例えば副作用情報テーブルが図２の矢印A13に示す状態である場合には、図１２の矢印A71に示す副作用表示画像が表示される。この副作用表示画像では、矢印B51に示す副作用情報「発疹」が表示色「マゼンダ」で表示されている。この例では、副作用情報の更新者が１人しかない場合には、副作用情報に対して背景は表示されない。
【０１７７】
また、その後、副作用情報テーブルが図２の矢印A15に示した状態となると、図１２の矢印A72に示す副作用表示画像が表示される。この副作用表示画像では、矢印B52に示す副作用情報「発疹」が表示色「赤」で表示されるとともに、矢印B53に示す、副作用情報「発疹」を囲む四角形状の背景が表示色「イエロー」で表示されている。この例では、矢印B53に示す背景が、副作用情報「発疹」の最終更新者を示しており、矢印B53に示す背景は、副作用情報「発疹」の最終更新者の立場に対して定められている表示色で表示される。
【０１７８】
さらに、その後、副作用情報テーブルが図２の矢印A17に示した状態となると、図１２の矢印A73に示す副作用表示画像が表示される。この副作用表示画像では、矢印B54に示す副作用情報「発疹」および、矢印B55に示す、副作用情報「発疹」の最終更新者を示す背景と、矢印B56に示す副作用情報「から咳」とが表示されている。
【０１７９】
この例では、矢印B54に示す副作用情報「発疹」は表示色「黒」で表示され、矢印B55に示す背景は表示色「シアン」で表示されている。また、矢印B56に示す副作用情報「から咳」は表示色「シアン」で表示されており、その副作用情報「から咳」には最終更新者を示す背景は表示されていない。
【０１８０】
〈副作用表示画像の表示例４〉
さらに、例えば図１３に示すように最終更新者を示す表示色の枠で副作用情報を示す文字が囲まれるようにした囲み文字で副作用情報を表示してもよい。
【０１８１】
例えば、副作用情報テーブルが図２の矢印A17に示した状態である場合には、図１３の矢印A81に示す副作用表示画像が表示される。この副作用表示画像では、矢印B61に示す副作用情報「発疹」および、矢印B62に示す副作用情報「から咳」が表示されている。
【０１８２】
矢印B61に示す副作用情報「発疹」は、副作用情報「発疹」を入力した各更新者の立場に対して定めた色の混合色である「黒」で表示されている。そして、さらにその副作用情報「発疹」の表示色「黒」の部分が、最終更新者である「○○医院」の立場「医師」に対して定められた表示色「シアン」の枠で囲まれて囲み文字とされている。つまり、表示色「シアン」の枠が、副作用情報「発疹」を囲み文字で表示する際の囲み文字の枠とされている。
【０１８３】
また、矢印B62に示す副作用情報「から咳」は、その副作用情報を入力した更新者の立場に対して定められた表示色「シアン」で表示されている。この副作用情報「から咳」を入力した更新者は１人であるため、副作用情報「から咳」は囲み文字とされず、通常の表示形態で表示されているが、この表示形態から閲覧者は、立場が「医師」である更新者のみが副作用情報を入力したことを把握することができる。
【０１８４】
なお、図１０乃至図１３を参照して説明した例では、副作用情報に対して、最終更新者の立場に対して定められた表示色の下線や枠、背景、囲み文字の枠を表示させると説明した。しかし、これらの下線や枠、背景、囲み文字の枠を、副作用情報を入力した各更新者の立場に対して定められた表示色を全て用いて表示することで、副作用情報を入力した順番を知ることができるようにしてもよい。そのような場合、例えば副作用情報を示す文字に付加された下線の表示色が、所定の方向に向かってマゼンダ、イエロー、シアンなどといったように副作用情報の入力順に変化していくようにすることなどが考えられる。
【０１８５】
〈表示処理および表示データ生成処理の説明〉
続いて、以上のように、最終更新者の立場に応じた表示形式で、かつ副作用情報を入力した更新者の立場に応じた表示色で各副作用情報を表示する場合に行われる表示処理および表示データ生成処理について説明する。但し、ここでは副作用情報を入力（更新）した更新者が１人である場合には、最終更新者を示す表示は行われない例について説明を行う。
【０１８６】
以下、図１４のフローチャートを参照して、情報端末装置１１による表示処理、および情報管理装置６１による表示データ生成処理について説明する。なお、ステップＳ２１１およびステップＳ２１２の処理と、ステップＳ２２１およびステップＳ２２２の処理は、図６のステップＳ６１およびステップＳ６２の処理と、ステップＳ７１およびステップＳ７２の処理と同様であるので、その説明は省略する。
【０１８７】
ステップＳ２２３において、表示色特定部８２は、ステップＳ２２２の処理で合算処理を行った１または複数の副作用内容のなかの１つを選択し、処理対象の副作用内容とする。
【０１８８】
ステップＳ２２４において、表示色特定部８２は、処理対象の副作用内容を示す副作用情報が、互いに立場の異なる複数の更新者によって入力されているか否かを判定する。
【０１８９】
ステップＳ２２４において、複数の更新者によって入力されていると判定された場合、ステップＳ２２５において、表示色特定部８２は、処理対象の副作用内容を示す副作用情報の最終更新者を特定する。このように最終更新者を特定することにより、その最終更新者の更新者フラグに対して定められた表示色が特定されることになる。つまり、最終更新者の立場に対して定められた表示色が特定されることになる。
【０１９０】
ステップＳ２２６において、画像処理部８３は、処理対象の副作用内容について算出された更新者フラグの合算値に対して定まる表示色で、かつ処理対象の副作用内容の最終更新者の立場に応じた表示形式で、処理対象の副作用内容が表示される副作用表示画像の表示データを生成する。例えば、画像処理部８３は、表示色特定部８２により特定された最終更新者の立場に対して定められた表示色で、副作用情報に対して、図１０乃至図１３に示した下線や枠、背景、囲み文字の枠等が表示されるように表示データを生成する。また、このとき画像処理部８３が記入履歴の表示データも生成するようにしてもよい。
【０１９１】
このようにして副作用表示画像の表示データが生成されると、その後、処理はステップＳ２２８へと進む。
【０１９２】
一方、ステップＳ２２４において、複数の更新者によって入力されていない、つまり１人の更新者によって入力されたと判定された場合、処理はステップＳ２２７へと進む。
【０１９３】
ステップＳ２２７において、画像処理部８３は、処理対象の副作用内容について算出された更新者フラグの合算値に対して定まる表示色で処理対象の副作用内容が表示される副作用表示画像の表示データを生成する。また、このとき画像処理部８３が記入履歴の表示データも生成するようにしてもよい。
【０１９４】
このようにして副作用表示画像の表示データが生成されると、その後、処理はステップＳ２２８へと進む。
【０１９５】
ステップＳ２２６またはステップＳ２２７において表示データが生成されると、ステップＳ２２８において表示色特定部８２は、ステップＳ２２２の処理で合算処理を行った全ての副作用内容、つまり処理対象の処方箋IDに対応付けられている副作用情報により示される全ての副作用内容について処理を行ったか否かを判定する。
【０１９６】
ステップＳ２２８においてまだ全ての副作用内容について処理を行っていないと判定された場合、処理はステップＳ２２３に戻り、上述した処理が繰り返し行われる。このように、処理対象の処方箋IDについて複数の副作用内容がある場合には、全ての副作用内容が副作用表示画像に表示されるように表示データが生成される。したがって、より詳細には、ステップＳ２２６やステップＳ２２７の処理では、これまでに生成した表示データに基づく副作用表示画像に、新たな副作用内容についての表示が追加されるように表示データが更新されることになる。
【０１９７】
これに対して、ステップＳ２２８において、全ての副作用内容について処理が行われたと判定された場合、画像処理部８３は、生成した表示データを送信部７２に供給し、処理はステップＳ２２９に進む。
【０１９８】
ステップＳ２２９において送信部７２は、画像処理部８３から供給された表示データを、ネットワークを介して情報端末装置１１に送信し、表示データ生成処理は終了する。
【０１９９】
そして、情報端末装置１１では、ステップＳ２１３およびステップＳ２１４の処理が行われて副作用表示画像が表示され、表示処理は終了するが、これらの処理は図６のステップＳ６３およびステップＳ６４の処理と同様であるので、その説明は省略する。なお、ステップＳ２１４において、例えば図７を参照して説明したように、閲覧者の入力部２３に対する操作、つまり指示に応じて表示制御部３２が表示部２６を制御し、記入履歴をポップアップ表示させたり、記入履歴の表示を解除したりしてもよい。
【０２００】
以上のようにして情報管理装置６１は、副作用内容ごとに更新者フラグの合算値と最終更新者の立場とに応じて副作用表示画像の表示データを生成し、情報端末装置１１は表示データに基づいて、副作用表示画像を表示する。
【０２０１】
このようにして副作用内容ごとの更新者フラグの合算値と最終更新者の立場とに応じて副作用表示画像の表示データを生成することで、より効果的に副作用情報を提示することができる。
【０２０２】
〈第３の実施の形態〉
〈更新者の信頼度について〉
ところで、本技術では、副作用情報テーブルの更新者が複数存在するのに加え、それらの更新者ごとに副作用情報テーブルの更新経路があることから、更新経路ごとに入力される副作用情報の信頼度が異なる。例えば患者が副作用情報を入力する場合には、自身の情報端末装置１１としてのスマートフォンなどを用いて入力操作を行うことなどから、誤入力が生じることもある。これに対して、薬剤師や医師などは、職場にある、情報端末装置１１としてのパーソナルコンピュータなどから勤務中に副作用情報を入力することから、誤入力は生じにくい。
【０２０３】
また、複数の更新者が副作用情報を入力する場合に、それらの複数の更新者の立場が異なると、副作用情報の非対称性が存在することになる。
【０２０４】
したがって、副作用情報テーブルに含まれる副作用情報を二次利用する際には、最も信頼度の高い副作用情報のみを抽出して利用することも考えられる。しかし、それでは利用可能な情報の数が少なくなってしまうだけでなく、二次利用により得られる効果を提供したい相手が入力した副作用情報の信頼度が低い場合には、二次利用の効果が期待できないこともある。
【０２０５】
そこで、副作用情報の入力経路や更新者同士の関係性を用いて、副作用情報の信頼度を係数化するようにしてもよい。
【０２０６】
〈副作用情報テーブルについて〉
そのような場合、情報管理装置６１の記録部７４には、例えば図１５に示す副作用情報テーブルが記録されているとする。
【０２０７】
図１５に示す例では、副作用情報テーブルには「ID」、「副作用発生日」、「関連ID」、「更新者ID」、「更新者フラグ」、「副作用内容」、「入力経路」、および「更新日時」の各欄が設けられている。
【０２０８】
ここで「ID」の欄には、副作用情報テーブルに互いに対応付けられて記録される副作用情報等からなる情報セットを識別するためのIDが格納され、「副作用発生日」の欄には、副作用情報により示される副作用の発生日が格納される。
【０２０９】
また、「関連ID」の欄には、互いに関連する副作用情報からなるグループを示す関連IDが格納される。より具体的には、例えば同じ処方箋で処方された薬剤に関する副作用情報に同じ関連IDが付与されるようにしてもよいし、同じ病気について発行された処方箋で処方された薬剤に関する副作用情報に同じ関連IDが付与されるようにしてもよい。また、同じ薬剤に同じ関連IDが付与されてもよい。
【０２１０】
「更新者ID」の欄には、更新者に対して予め定められた、更新者を特定する更新者IDが格納され、「更新者フラグ」の欄には更新者フラグが格納され、「副作用内容」には副作用の内容を示す副作用情報が格納される。
【０２１１】
「入力経路」の欄には、情報端末装置１１としてのスマートフォンで起動されたアプリケーションプログラム、薬局や病院の情報端末装置１１など、副作用情報を入力した経路を示す入力経路情報が格納される。「更新日時」の欄には、副作用情報が入力された日時、すなわち、副作用情報の追加により副作用情報テーブルが更新された日時を示す更新日時情報が格納される。
【０２１２】
図１５に示す副作用情報テーブルは、例えば以下のようにして更新されて得られたものとなっている。
【０２１３】
すなわち、まず2014年9月22日に、更新者IDが「a1」である患者が、服薬中の薬剤に関して、9月1日に発生した副作用内容「頭痛」を示す副作用情報を入力するとともに、9月3日に発生した副作用内容「くしゃみ」を示す副作用情報を入力した。
【０２１４】
その後、患者は9月24日に薬局「薬局aabb」に行き、薬剤師に相談したところ、副作用内容「頭痛」は副作用であると確認され、副作用内容「くしゃみ」は「から咳」の間違いであるとされ、病院への通院が勧められた。そして、同日に薬剤師によって、副作用内容「頭痛」を示す副作用情報と、副作用内容「から咳」を示す副作用情報が入力された。
【０２１５】
さらに、患者は9月28日に病院「医院ccdd」に行き、医師に相談したところ、副作用内容「頭痛」と副作用内容「から咳」の診断を受け、同日に医師によって、副作用内容「頭痛」を示す副作用情報と、副作用内容「から咳」を示す副作用情報が入力された。
【０２１６】
〈入力経路の信頼度について〉
図１５に示した副作用情報テーブルが、副作用情報など、更新者により入力される情報（データ）の種別ごとに記録部７４で管理される場合、記録部７４には、例えば図１６に示す入力経路ごとの信頼度を示す信頼度情報が記録されるようにしてもよい。
【０２１７】
この例では、信頼度情報は経路別信頼度テーブルに格納されて記録される。この経路別信頼度テーブルには「ID」、「経路ID」、「データ種別」、および「信頼度」の各欄が設けられている。
【０２１８】
ここで「ID」の欄には、経路別信頼度テーブルに互いに対応付けられて記録される信頼度情報等からなる情報セットを識別するためのIDが格納され、「経路ID」の欄には、副作用情報等の更新情報の入力経路を示す経路IDが格納される。
【０２１９】
また、「データ種別」の欄には副作用情報などのデータの種別を示す情報が格納され、「信頼度」の欄には信頼度を示す信頼度情報が格納される。例えばデータ種別は、副作用情報であれば「1」とされ、既往症であれば「2」とされるなど、そのデータの種別に応じて予め定められる。
【０２２０】
したがって、例えばIDが「1」である情報のセットからは、経路IDが「スマホアプリ」である、スマートフォンで起動させたアプリケーションプログラムが入力経路である場合には、データ種別「1」により示される種別のデータ（情報）を入力したときの信頼度は「20」であることが分かる。
【０２２１】
このように経路別信頼度テーブルを保持しておくことにより、入力された情報の入力経路と種別とから、その情報に対して信頼度を付与して管理することができる。したがって、例えば副作用情報等の情報を二次利用する場合に、所定の信頼度以上の情報を抽出して利用したり、信頼度を加味して情報を利用したりすることができる。
【０２２２】
〈更新者のスコアについて〉
また、例えば図１７に示す更新者スコアテーブルを記録部７４で管理し、各更新者に対する信頼度を示すスコアを保持するようにしてもよい。例えば、各更新者のスコアは、病院や薬局等の更新者の所属機関や、更新者の職業、つまり更新者の立場などから定められるようにすればよい。
【０２２３】
図１７に示す更新者スコアテーブルには「ID」、「更新者ID」、「所属」、「職業」、および「スコア」の各欄が設けられている。
【０２２４】
ここで「ID」の欄には、更新者スコアテーブルに互いに対応付けられて記録されるスコア等からなる情報セットを識別するためのIDが格納され、「更新者ID」の欄には、副作用情報等の各種の情報の更新者個人を特定する更新者IDが格納される。
【０２２５】
また、「所属」の欄には、更新者IDにより特定される更新者が所属している、病院や薬局などの所属機関名が格納され、「職業」の欄には、医者や薬剤師、患者など、更新者IDにより特定される更新者の職業、より詳細には更新者の立場を示す情報が格納される。
【０２２６】
さらに、「スコア」の欄には、更新者IDにより特定される更新者の信頼度を示すスコアが格納される。このスコアは、更新者IDにより特定される更新者が入力した情報に対する信頼度を示すスコアであるともいうことができる。ここでスコアの値は、その値が大きいほど信頼度が高いことを示している。
【０２２７】
このように更新者スコアテーブルを保持しておくことにより、経路別信頼度テーブルにおける場合と同様に、情報を入力した更新者に応じて、その情報に対してスコアを付して管理することができる。したがって、例えば副作用情報等の情報を二次利用する場合に、所定のスコア以上の情報を抽出して利用したり、スコアを加味して情報を利用したりすることができる。
【０２２８】
具体的には、患者ごとに記録部７４で管理されている全ての副作用情報テーブルから副作用情報を抽出することで、例えば図１８に示す集計結果を得ることができる。
【０２２９】
図１８に示す集計結果では、「副作用内容」の欄は、副作用情報により示される副作用内容を示しており、「スコア」の欄は、各スコア値を有する更新者により入力された副作用情報の数、つまり各スコア値を有する副作用情報の数を示している。例えば、スコアが「100」である欄は、スコア値が100である更新者が入力した副作用情報の個数を示しており、スコアが「90以上」である欄は、スコア値が90以上100未満である更新者が入力した副作用情報の個数を示している。
【０２３０】
したがって、例えば副作用内容「頭痛」については、副作用情報として頭痛を入力した更新者のうち、スコア値が100である更新者の数が「30」であり、スコア値が90以上100未満である更新者の数が「33」であり、スコア値が50以上90未満である更新者の数が「59」であり、スコア値が0以上50未満である更新者の数が「80」であることが分かる。
【０２３１】
このような集計結果を用いれば、例えばスコア値と、副作用情報数、つまり更新者数とを考慮しながら、十分な信頼度かつ個数の副作用情報を抽出して利用することができる。例えば、副作用内容「頭痛」についてはスコア値「100」の副作用情報を抽出すれば十分な個数の情報が収集できるが、副作用内容「から咳」についてはスコア値「100」とスコア値「90以上」の副作用情報を抽出する必要があるなどとすることができる。
【０２３２】
このように更新者ごとのスコアを管理することで、有用な副作用情報等の情報をより多く利用することができ、また患者等が誤解しやすい副作用について考察することもできるようになる。
【０２３３】
〈更新者のスコアとスコア更新について〉
さらに、更新者スコアテーブルを管理する場合に、同じ更新者でもデータ種別ごとにスコアが異なるようにしたり、更新者のスコアを適宜更新したりするようにしてもよい。
【０２３４】
例えば、一般的には副作用情報に関しては、入力された副作用情報に対する信頼度は医師よりも患者の方が低いことが殆どである。しかし、更新者である患者のなかには、患者個人の判断で副作用内容を入力する患者もいるが、医師から言われた内容を副作用内容として入力する患者もいる。そのため、全患者のスコアを一律に低く設定してしまうと、副作用情報の二次利用の際に、データの母数が少なくなってしまうこともある。
【０２３５】
そこで、例えば副作用情報であれば、医師のように入力した副作用情報の信頼度が極めて高いと考えられる更新者を基準者とし、基準者ではない患者等の更新者を非基準者として、非基準者のスコアを動的に増減させるようにしてもよい。そうすれば、十分に信頼度の高い副作用情報をより多く抽出し、二次利用することができる。
【０２３６】
非基準者のスコアを適宜、変化させる場合、図１５に示した副作用情報テーブルとともに、例えば図１９に示す更新者スコアテーブルを記録部７４に記録して管理すればよい。なお、図１９において、図１７における場合と対応する部分については、その説明は適宜省略する。
【０２３７】
図１９に示す更新者スコアテーブルには「ID」、「更新者ID」、「所属」、「職業」、「データ種別」、「基準フラグ」、および「スコア」の各欄が設けられている。これらの各欄のうち、「ID」、「更新者ID」、「所属」、「職業」、および「スコア」については、図１７に示した更新者スコアテーブルにおける場合と同様である。
【０２３８】
また、図１９に示す更新者スコアテーブルにおいて、「データ種別」の欄には、副作用情報などのデータの種別を示す情報が格納され、「基準フラグ」の欄には、更新者が基準者であるか非基準者であるかを示す基準フラグが格納される。ここでは、例えば基準フラグが「1」である更新者は基準者であることを示しており、基準フラグが「0」である更新者は非基準者であることを示している。
【０２３９】
この例では、各更新者について、その更新者の職業、つまり更新者の立場などに応じて、入力される副作用情報等の情報の種別ごとに、更新者を基準者とするかや更新者のスコアが定められる。この例では、職業、つまり立場が医師である更新者が基準者とされており、立場が薬剤師または患者である更新者は非基準者とされている。また、この例では各更新者のスコアは、それらの更新者の立場に対して定められており、例えば立場が医師である更新者のスコアは、最大値である「100」とされている。
【０２４０】
このような更新者スコアテーブルが管理されている場合、例えば基準者が副作用情報について入力を行うと、入力された副作用情報と、それ以前に非基準者により入力された副作用情報とが比較される。
【０２４１】
ここで、比較対象となる副作用情報は、例えば基準者が入力した副作用情報の関連IDと同じ関連IDに対応付けられて副作用情報テーブルに記録されている非基準者の副作用情報などとされる。なお、比較対象となる副作用情報は、その他、処方箋の発行日が同じである副作用情報や、副作用発生日が同じである副作用情報、処方箋の発行日が同じで、かつ薬剤やその薬剤の購入先の薬局が同じである副作用情報など、互いに関連するものであれば、どのようにして定められてもよい。
【０２４２】
また、基準者により入力された副作用情報と、非基準者により入力された副作用情報とが比較された結果、副作用情報が基準者と一致した非基準者については、その非基準者のスコアが所定値だけ増加する。これに対して、副作用情報が基準者と一致しなかった非基準者については、その非基準者のスコアが所定値だけ減少する。
【０２４３】
例えば図１９に示す例で、基準者である更新者ID「doc3」の更新者が入力した副作用情報と、非基準者である更新者ID「pha1」の更新者が入力した副作用情報、および非基準者である更新者ID「a1」の更新者が入力した副作用情報とが比較されたとする。
【０２４４】
そして、その結果、更新者ID「pha1」の更新者が入力した副作用情報は基準者のものと一致したが、更新者ID「a1」の更新者が入力した副作用情報は基準者のものと一致しなかったとする。そのような場合、図１９に示す更新者スコアテーブルの各非基準者のスコアは、例えば図２０に示すように更新される。
【０２４５】
図２０に示す例では、入力した副作用情報が基準者のものと一致した更新者ID「pha1」の更新者のスコアが2だけ増加し、「92」となっている。これに対して、入力した副作用情報が基準者のものと一致しなかった更新者ID「a1」の更新者のスコアが4だけ減少し、「26」となっている。
【０２４６】
このように非基準者である更新者のスコアを増減させることで、有用な副作用情報をより多く抽出して二次利用することができるようになる。
【０２４７】
〈情報管理装置の構成例〉
このように情報管理装置６１が図１５に示した副作用情報テーブルと、図１９に示した更新者スコアテーブルを管理する場合、情報管理装置６１は、例えば図２１に示すように構成される。なお、図２１において図４における場合と対応する部分には同一の符号を付してあり、その説明は適宜省略する。
【０２４８】
図２１に示す情報管理装置６１は受信部７１、送信部７２、制御部７３、および記録部７４を有している。また、制御部７３は記録制御部８１、表示色特定部８２、画像処理部８３、およびスコア管理部１１１を有している。
【０２４９】
したがって、図２１に示す情報管理装置６１の構成は、制御部７３に新たにスコア管理部１１１が設けられている点で、図４に示した情報管理装置６１の構成と異なり、その他の点では図４の情報管理装置６１と同じ構成となっている。
【０２５０】
スコア管理部１１１は、記録部７４に記録されている更新者スコアテーブルを管理する。例えばスコア管理部１１１は、基準者による副作用情報の入力結果に応じて、非基準者のスコアを更新する。
【０２５１】
〈入力処理および更新処理の説明〉
例えば、更新者が図３に示した情報端末装置１１を操作してアプリケーションプログラムを起動させると、情報端末装置１１は更新者の操作に応じて副作用情報テーブルの更新を、図２１に示した情報管理装置６１に要求する入力処理を行う。また、副作用情報テーブルの更新要求を受けた情報管理装置６１は、更新処理を行って、副作用情報テーブルを更新する。
【０２５２】
以下、図２２のフローチャートを参照して、図３に示した情報端末装置１１による入力処理、および図２１に示した情報管理装置６１による更新処理について説明する。
【０２５３】
アプリケーションプログラムを起動させると、ステップＳ２６１において、情報端末装置１１の情報取得部３１は、副作用発生日、関連ID、更新者ID、副作用情報、および入力経路情報の入力を受け付ける。
【０２５４】
すると患者、薬剤師、医師等の更新者は、入力部２３を操作して、適宜、入力画面から入力すべき情報等を選択しながら、副作用発生日、関連ID、更新者ID、副作用情報、および入力経路情報を入力する。
【０２５５】
情報取得部３１は、更新者の入力部２３に対する操作に応じて、入力部２３から更新者により入力された副作用発生日、関連ID、更新者ID、副作用情報、および入力経路情報を取得し、それらの副作用発生日、関連ID、更新者ID、副作用情報、および入力経路情報を、副作用情報テーブルの更新要求とともに送信部２２に供給する。
【０２５６】
なお、更新者IDや入力経路情報は、情報端末装置１１の機種情報やログイン情報などに基づいて、更新者の操作を必要とせずに取得されるようにしてもよい。
【０２５７】
ステップＳ２６２において、送信部２２は、情報取得部３１から供給された副作用発生日、関連ID、更新者ID、副作用情報、および入力経路情報と、副作用情報テーブルの更新要求とをネットワークを介して情報管理装置６１に送信し、入力処理は終了する。
【０２５８】
このようにして副作用情報テーブルの更新要求等が送信されると、ステップＳ２７１において、情報管理装置６１の受信部７１は、情報端末装置１１から送信されてきた副作用発生日、関連ID、更新者ID、副作用情報、および入力経路情報と、副作用情報テーブルの更新要求とを受信して制御部７３に供給する。
【０２５９】
ステップＳ２７２において、記録制御部８１は、副作用発生日、関連ID、更新者ID、更新者フラグ、副作用情報、入力経路情報、および更新日時情報を記録部７４に供給して記録させる。
【０２６０】
すなわち、記録制御部８１は、副作用情報テーブルの更新要求に応じて、現在日時を示す更新日時情報を生成するとともに、記録部７４に記録されている情報を参照して、受信部７１から供給された更新者IDにより示される更新者の立場を特定し、その立場を示す更新者フラグを生成する。
【０２６１】
そして、記録制御部８１は、受信部７１から供給された副作用発生日、関連ID、更新者ID、副作用情報、および入力経路情報と、生成した更新者フラグおよび更新日時情報とを新たに生成したIDに対応付けて記録部７４に供給し、既に記録部７４に記録されている副作用情報テーブルに追記させる。これにより、副作用情報テーブルが更新される。
【０２６２】
このようにして副作用情報テーブルが更新されると、更新処理は終了する。
【０２６３】
以上のようにして、情報端末装置１１は更新者の操作に応じて副作用情報等を取得して情報管理装置６１に送信し、情報管理装置６１は、情報端末装置１１から受信した副作用情報等を記録部７４に記録させて副作用情報テーブルを更新する。このようにして副作用情報テーブルを更新する際に、更新者IDや更新者フラグも記録しておくことで、更新者の立場に応じた表示形式で副作用情報を表示させることができ、より効果的に情報を提示することができるようになる。
【０２６４】
〈スコア更新処理の説明〉
また、情報管理装置６１により更新処理が行われて副作用情報テーブルが更新されると、情報管理装置６１は、その直後や、その後の適切なタイミングでスコア更新処理を行い、新たに記録された副作用情報に基づいて、非基準者のスコアを更新する。すなわち、更新者スコアテーブルが更新される。
【０２６５】
以下、図２３のフローチャートを参照して、情報管理装置６１によるスコア更新処理について説明する。
【０２６６】
ステップＳ３１１において、スコア管理部１１１は、記録部７４に記録されている副作用情報テーブルと、更新者スコアテーブルとを参照して、新たに副作用情報テーブルを更新した更新者は基準者であるか否かを判定する。
【０２６７】
例えば図１５に示した副作用情報テーブルおよび図１９に示した更新者スコアテーブルが記録部７４に記録されており、副作用情報テーブルに最後に追加された情報がID「5」および「6」に対応付けられている情報であったとする。
【０２６８】
この場合、副作用情報を入力した更新者の更新者IDは「doc3」であるから、スコア管理部１１１は、記録部７４に記録されている更新者スコアテーブルを参照し、更新者ID「doc3」に対応付けられている基準者フラグ「1」を特定する。この場合、基準者フラグが「1」であるから、スコア管理部１１１は更新者は基準者であると判定する。
【０２６９】
なお、以下、図２３を参照して説明するスコア更新処理において、具体的な例を説明する場合には、図１５に示した副作用情報テーブルおよび図１９に示した更新者スコアテーブルが記録部７４に記録されており、副作用情報テーブルに最後に追加された情報がID「5」および「6」に対応付けられている情報であるものとする。
【０２７０】
ステップＳ３１１において基準者でないと判定された場合、非基準者のスコアの更新は行われないので、スコア更新処理は終了する。
【０２７１】
これに対して、ステップＳ３１１において基準者であると判定された場合、ステップＳ３１２において、スコア管理部１１１は、新たに副作用情報テーブルに追加された副作用情報と関連する副作用情報を入力した非基準者がいるか否かを判定する。
【０２７２】
例えばスコア管理部１１１は、最後に追加された副作用情報と対応付けられている関連ID「aaa」と、同じ値の関連IDに対応付けられて記録されている副作用情報を検索する。図１５の例では、ID「1」乃至「4」に対応付けられている情報には関連ID「aaa」が含まれている。
【０２７３】
また、スコア管理部１１１は、それらのID「1」乃至「4」に対応付けられている副作用情報の更新者ID「a1」および「pha1」から、更新者スコアテーブルにおいて、更新者ID「a1」および「pha1」に対応付けられている基準フラグを特定する。
【０２７４】
この場合、更新者ID「a1」および「pha1」の更新者の基準フラグはともに「0」であるから、それらの更新者は非基準者である。したがって、スコア管理部１１１は、関連する副作用情報を入力した非基準者がいると判定する。
【０２７５】
ステップＳ３１２において、関連する副作用情報を入力した非基準者がいないと判定された場合、比較対象となる副作用情報はないので、スコア更新処理は終了する。
【０２７６】
これに対して、ステップＳ３１２において、関連する副作用情報を入力した非基準者がいると判定された場合、ステップＳ３１３において、スコア管理部１１１は比較対象とする副作用情報を入力した非基準者を１人選択する。
【０２７７】
例えば図１５の例では、関連する副作用情報を入力した非基準者として、更新者IDが「a1」である更新者と、更新者IDが「pha1」である更新者がいるので、スコア管理部１１１はそれらの更新者の何れかを、処理対象の非基準者として選択する。
【０２７８】
ステップＳ３１４において、スコア管理部１１１は、基準者が入力した副作用情報と、処理対象の非基準者が入力した副作用情報とを比較して、その結果、非基準者が入力した副作用情報が、基準者が入力した副作用情報と合致しているか否かを判定する。
【０２７９】
例えば図１５の例において、更新者ID「pha1」である更新者が処理対象の非基準者とされているとする。この場合、処理対象の非基準者が入力した副作用情報は、「頭痛」および「から咳」であり、これらの副作用情報は、基準者である更新者ID「doc3」の更新者が入力した副作用情報「頭痛」および「から咳」と一致（合致）する。したがって、この場合、スコア管理部１１１は、基準者が入力した副作用情報と合致していると判定する。
【０２８０】
また、例えば図１５の例において、更新者ID「a1」である更新者が処理対象の非基準者とされているとする。この場合、処理対象の非基準者が入力した副作用情報は、「頭痛」および「くしゃみ」であり、このうちの副作用情報「くしゃみ」は、基準者である更新者ID「doc3」の更新者が入力した副作用情報「から咳」と一致しない。したがって、この場合、スコア管理部１１１は、基準者が入力した副作用情報と合致していないと判定する。
【０２８１】
ステップＳ３１４において、副作用情報が合致していると判定された場合、ステップＳ３１５において、スコア管理部１１１は、記録部７４に記録されている更新者スコアテーブルにおける、処理対象の非基準者のスコアを予め定めた値だけ増加させる。このようにして処理対象の非基準者のスコアを更新すると、処理はステップＳ３１７へと進む。
【０２８２】
また、ステップＳ３１４において副作用情報が合致していないと判定された場合、ステップＳ３１６において、スコア管理部１１１は、記録部７４に記録されている更新者スコアテーブルにおける、処理対象の非基準者のスコアを予め定めた値だけ減少させる。このようにして処理対象の非基準者のスコアを更新すると、処理はステップＳ３１７へと進む。
【０２８３】
なお、ここでは非基準者のスコアを予め定めた値だけ減少させると説明したが、複数の副作用情報のうちの一部の副作用情報については合致していることもあるため、合致の割合、つまり正解率に応じてスコアを減少させる値が定められてもよい。
【０２８４】
例えば基準者が２つの副作用情報を入力した場合、１つの副作用情報については非基準者の副作用情報が基準者のものと合致したときは、スコアの値はそのままとされ、非基準者の副作用情報のなかに基準者のものと合致するものがないときはスコアの値が1だけ減少するなどとしてもよい。
【０２８５】
ステップＳ３１５またはステップＳ３１６においてスコアが更新されると、ステップＳ３１７において、スコア管理部１１１は、全ての非基準者について処理を行ったか否かを判定する。
【０２８６】
ステップＳ３１７において、まだ全ての非基準者について処理を行っていないと判定された場合、処理はステップＳ３１３に戻り、上述した処理が繰り返し行われる。
【０２８７】
これに対して、ステップＳ３１７において全ての非基準者について処理を行ったと判定された場合、スコア更新処理は終了する。
【０２８８】
以上のようにして、情報管理装置６１は、基準者が副作用情報を入力すると、その副作用情報を非基準者の副作用情報と比較し、その比較結果に応じて非基準者のスコアを更新する。これにより、各更新者について、より適切なスコアを得ることができ、有用な情報をより多く得ることができるようになる。
【０２８９】
なお、以上においては基準者が入力した全副作用情報と、非基準者が入力した全副作用情報とが完全に一致する場合に、基準者が入力した副作用情報と合致すると判定する例について説明したが、副作用情報ごとに合致するかの判定が行われるなどしてもよい。
【０２９０】
また、以上においては同じ関連IDに対応付けられている副作用情報を対象として副作用情報が合致するかの比較を行う例について説明したが、一度比較が行われた副作用情報や、入力されてから所定期間以上経過した副作用情報は比較の対象から除外されるようにしてもよい。
【０２９１】
さらに、情報管理装置６１で管理されている各更新者のスコアを情報端末装置１１で閲覧することができるようにしてもよい。そのような場合、スコア管理部１１１は、情報端末装置１１の指示等に応じて、記録部７４の更新者スコアテーブルから表示対象となる更新者IDと、その更新者IDに対応付けられているスコアを抽出する。そして、画像処理部８３は、抽出された更新者IDとスコアとから、更新者やスコアが表示されるスコア表示画像の表示データを生成し、送信部７２は、その表示データを送信する。また、情報端末装置１１では、受信部２１が情報管理装置６１から送信されてきた表示データを受信して制御部２４に供給し、表示制御部３２は受信された表示データに基づいて、表示部２６にスコア等が表示されるスコア表示画像を表示させる。
【０２９２】
〈非基準者から基準者への変更〉
ところで、非基準者のなかには、基準者と同レベルの信頼度で副作用情報を入力する非基準者がいることも考えられる。そのような非基準者は、スコアの更新を行うたびにスコアの値が大きくなっていく。そこで、スコアの値が所定値に達した非基準者を基準者として扱うようにしてもよい。
【０２９３】
例えばスコアの値が「100」となると非基準者が基準者になるものとする。また、例えば立場が薬剤師である非基準者が基準者となったときには、基準フラグが「0」から「2」へと更新され、立場が患者である非基準者が基準者となったときには、基準フラグが「0」から「3」へと更新されるなどとすれば、もとから基準者であった者との区別が可能である。
【０２９４】
そのような場合、例えば図１９に示した更新者スコアテーブルが記録部７４に記録されている状態で、非基準者である更新者ID「pha1」の更新者のスコアが「90」から更新されるたびに増加していき、「100」に到達したとする。
【０２９５】
すると、例えば図２４に示すように、非基準者である更新者ID「pha1」の更新者の基準フラグが「0」から「2」へと変更され、この更新者は以降において基準者として扱われるようになる。この場合、新たに基準者となった更新者ID「pha1」の更新者が新たに副作用情報を入力すると、その副作用情報と、非基準者の関連する副作用情報との比較が行われ、非基準者のスコアが更新されることになる。
【０２９６】
例えば、図２３のステップＳ３１５の処理で非基準者のスコアを更新した結果、更新後のスコアが予め定められた値、例えば「100」となった場合には、スコア管理部１１１は、記録部７４に記録されている更新者スコアテーブルを更新する。すなわち、スコア管理部１１１は、処理対象の非基準者である更新者の基準フラグを、その更新者の立場に応じて「2」や「3」に変更する。これにより、非基準者であった更新者は、基準者へと変更される。
【０２９７】
〈副作用表示画像の表示例〉
また、例えば図１５に示した副作用情報テーブルおよび図１９に示した更新者スコアテーブルが記録部７４で管理される場合においても、情報端末装置１１の要求に応じて、副作用表示画像の表示データが生成されるようにしてもよい。その際、各更新者のスコアに応じた表示形式で副作用表示画像上に副作用情報が表示されるようにすることができる。
【０２９８】
例えば図１５に示した副作用情報テーブルにおいて、ID「1」乃至「4」に対応付けられた情報が記録されている状態では、図２５に示す副作用表示画像が表示される表示データを生成するようにしてもよい。
【０２９９】
図２５に示す例では、副作用表示画像には、矢印B81に示す副作用情報「頭痛」、矢印B82に示す副作用情報「くしゃみ」、および矢印B83に示す副作用情報「から咳」が表示されている。ここで、副作用表示画像には、関連ID「aaa」に対応付けられている全ての副作用情報が表示されるようになされている。
【０３００】
また、副作用表示画像には、スコアに応じた位置を示す矢印C11も表示されており、各副作用情報はスコアに応じた位置に表示されている。
【０３０１】
この例では、矢印C11の図中、右側の端がスコア「0」に対応する位置となっており、矢印C11の図中、左側の端がスコア「100」に対応する位置となっている。そして、副作用情報は、その副作用情報を入力した１または複数の更新者のスコアのうちの最大値に対応する位置に表示されている。
【０３０２】
例えば副作用情報「くしゃみ」はスコア「30」に対応する位置に表示されており、副作用情報「頭痛」および「から咳」はスコア「90」に対応する位置に表示されている。
【０３０３】
また、各副作用情報は図２を参照して説明した場合と同様に、その副作用情報を入力した１または複数の更新者の立場に応じた表示色、すなわち、その副作用内容の副作用情報を入力した更新者の更新者フラグの合算値に対して定められた表示色で表示されている。
【０３０４】
したがって、この例では、副作用情報「頭痛」は合算値「6」に対して定められた表示色「赤」で表示され、副作用情報「くしゃみ」は合算値「4」に対して定められた表示色「マゼンダ」で表示されている。また、副作用情報「から咳」は合算値「2」に対して定められた表示色「イエロー」で表示されている。
【０３０５】
このように図２５に示す副作用表示画像は、副作用情報を入力した１または複数の更新者の立場に応じた表示色で、かつ副作用情報を入力した更新者のスコアに応じた表示形式で副作用情報が表示されるものとなっている。
【０３０６】
また、例えば図２６に示す副作用表示画像が表示されるようにしてもよい。なお、図２６において図２５における場合と対応する部分には同一の符号を付してあり、その説明は適宜省略する。
【０３０７】
図２６の例では、各副作用情報の図中、右側に位置する、それらの副作用情報を入力した１または複数の更新者のスコアのうちの最大値に対応する長さの長方形と、その長方形内の数値によりスコアの最大値がメーター表示されている。ここで、長方形内の数値はスコアの最大値を示している。
【０３０８】
このように副作用情報とともにスコアをメーター表示させることによって、閲覧者に各副作用情報の信頼度を簡単に把握させることができる。
【０３０９】
なお、副作用表示画像は図２５や図２６に示した例に限らず、副作用情報を入力した更新者の立場に応じた表示色で、かつ副作用情報を入力した更新者のスコアに応じた表示形式で副作用情報が表示されるものであれば、どのようなものであってもよい。
【０３１０】
例えば、副作用情報を入力した更新者のスコアに応じて、その副作用情報の大きさや濃淡が変化するようにしてもよいし、副作用情報とともに、その副作用情報を入力した更新者のスコアが表示されるようにしてもよい。さらに、例えば指示に応じて副作用情報とともに記入履歴が表示されるようにしてもよいし、図２５の例などにおいて各副作用情報の表示位置をより把握しやすくするために「・」等のインデント記号などを表示してもよい。
【０３１１】
また、ここでは、各副作用情報が更新者フラグの合算値に対して定められた表示色で表示される例を説明したが、同じ副作用内容の副作用情報でも更新者ごとに副作用情報が表示されるようにしてもよい。そのような場合には、各副作用情報は、それらの副作用情報を入力した更新者の立場に対して定められた表示色で、かつその更新者のスコアに応じた表示形式で表示される。
【０３１２】
さらに、副作用情報を入力した更新者の立場に応じた表示色、つまり更新者フラグの合算値に対して定まる表示色で表示させるのではなく、単に副作用情報を入力した更新者のスコアに応じた表示形式で表示させるようにしてもよい。このように各副作用情報が、それらの副作用情報を入力した更新者のスコアに応じた表示形式で表示される場合、図２５や図２６に示した副作用表示画像において、各副作用情報が、例えば予め定められた特定の表示色で表示される。なお、この場合、各副作用情報が、副作用内容に対して予め定められた表示色で表示されてもよい。
【０３１３】
また、副作用表示画像において、副作用情報を入力した１または複数の更新者の立場に応じた表示色で、かつ副作用情報を入力した更新者のスコアおよび副作用情報の最終更新者に応じた表示形式で副作用情報が表示される表示データを生成するようにしてもよい。
【０３１４】
〈表示処理および表示データ生成処理の説明〉
続いて、副作用表示画像において、副作用情報を入力した更新者の立場に応じた表示色で、かつ副作用情報を入力した更新者のスコアに応じた表示形式で副作用情報が表示され、また閲覧者の指示に応じて記入履歴が表示される場合に行われる表示処理および表示データ生成処理について説明する。
【０３１５】
すなわち、以下、図２７のフローチャートを参照して、図３に示した情報端末装置１１により行われる表示処理、および図２１に示した情報管理装置６１により行われる表示データ生成処理について説明する。
【０３１６】
なお、この場合、情報管理装置６１の記録部７４には、図１５に示した副作用情報テーブルおよび図１９に示した更新者スコアテーブルが記録されているものとする。
【０３１７】
例えば副作用表示画像の表示を指示する場合、患者や患者の家族、薬剤師、医師等の閲覧者は情報端末装置１１の入力部２３を操作して、対象となる関連IDを入力する。
【０３１８】
すると、ステップＳ３５１において、情報取得部３１は、閲覧者の操作に応じて入力部２３から供給された関連IDを取得して、副作用表示画像の送信要求とともに送信部２２に供給する。
【０３１９】
ステップＳ３５２において、送信部２２は、情報取得部３１から供給された関連IDおよび副作用表示画像の送信要求をネットワークを介して情報管理装置６１に送信する。
【０３２０】
すると、ステップＳ３６１において、情報管理装置６１の受信部７１は、情報端末装置１１から送信されてきた関連IDおよび副作用表示画像の送信要求を受信して制御部７３に供給する。
【０３２１】
ステップＳ３６２において、表示色特定部８２は、副作用表示画像の送信要求に応じて、受信部７１から供給された関連IDについて記録部７４の副作用情報テーブルに記録されている副作用情報により示される副作用内容ごとに、更新者フラグの合算値を算出する。
【０３２２】
ステップＳ３６３において、画像処理部８３は、受信部７１から供給された関連IDと、表示色特定部８２により算出された更新者フラグの合算値とに基づいて、更新者フラグの合算値に応じた表示色で、かつ副作用情報の更新者のスコアに応じた表示形式で副作用情報が表示される副作用表示画像の表示データを生成する。例えば、これにより図２５に示した副作用表示画像と同様の表示データが生成される。
【０３２３】
なお、ここでは更新者フラグの合算値に応じた表示色で、かつ更新者のスコアに応じた表示形式で副作用情報が表示される副作用表示画像の表示データを生成する例について説明した。しかし、例えば、合算値が用いられずに、副作用情報の更新者のスコアに応じた表示形式で副作用情報が表示される副作用表示画像の表示データが生成されるようにしてもよい。そのような場合、例えば図２５に示した副作用表示画像において、「頭痛」や「くしゃみ」などの各副作用情報は、予め定められた色や副作用情報の内容に応じた色など、任意の表示色で表示されることになる。また、更新者のスコアが用いられずに、更新者フラグの合算値に応じた表示色で副作用情報が表示される副作用表示画像の表示データが生成されるようにしてもよい。
【０３２４】
画像処理部８３は、生成した表示データを送信部７２に供給する。なお、表示データの生成時には、画像処理部８３は記録部７４に記録されている更新者スコアテーブルを参照し、更新者のスコアを特定する。
【０３２５】
ステップＳ３６４において、画像処理部８３は、受信部７１から供給された関連IDに基づいて、記入履歴の表示データを生成し、送信部７２に供給する。例えばステップＳ３６４では、図８のステップＳ１２４と同様の処理が行われる。
【０３２６】
ステップＳ３６５において、送信部７２は、画像処理部８３から供給された、副作用表示画像の表示データ、および記入履歴の表示データを、ネットワークを介して情報端末装置１１に送信して、表示データ生成処理は終了する。
【０３２７】
また、ステップＳ３５３において、情報端末装置１１の受信部２１は、情報管理装置６１から送信されてきた表示データを受信して制御部２４に供給する。
【０３２８】
そして、ステップＳ３５４において、表示制御部３２は、受信部２１から供給された副作用表示画像の表示データを表示部２６に供給するとともに、表示部２６を制御して、表示データに基づいて副作用表示画像を表示させる。
【０３２９】
また、副作用表示画像が表示されている状態で、閲覧者が入力部２３を操作して、記入履歴の表示を指示すると、表示制御部３２は、受信部２１から供給された記入履歴の表示データを表示部２６に供給し、記入履歴を表示させる。
【０３３０】
このようにして副作用表示画像が表示されると、表示処理は終了する。
【０３３１】
以上のようにして、情報管理装置６１は、副作用表示画像および記入履歴の表示データを生成して情報端末装置１１に送信し、情報端末装置１１は、情報管理装置６１から受信した表示データに基づいて、副作用表示画像や記入履歴を表示させる。
【０３３２】
このようにして、副作用表示画像において、副作用情報を入力した更新者の立場に応じた表示色で、かつ副作用情報を入力した更新者のスコアに応じた表示形式で副作用情報を表示させることで、より効果的に副作用情報を提示することができる。特に、この例では副作用情報が更新者のスコアに応じた表示形式で表示されるため、閲覧者は各副作用情報の信憑性や重要性を認識することができる。
【０３３３】
〈第３の実施の形態の変形例１〉
〈表示処理および抽出処理の説明〉
さらに、以上においては、情報管理装置６１において表示データを生成すると説明したが、情報端末装置１１側で表示データを生成するようにしてもよい。そのような場合、例えば表示処理および抽出処理が行われる。
【０３３４】
以下、図２８のフローチャートを参照して、情報端末装置１１による表示処理、および情報管理装置６１による抽出処理について説明する。なお、ステップＳ４０１、ステップＳ４０２、およびステップＳ４１１の処理は、図２７のステップＳ３５１、ステップＳ３５２、およびステップＳ３６１の処理と同様であるので、その説明は省略する。
【０３３５】
ステップＳ４１２において、制御部７３は、副作用情報、更新者情報、更新者フラグ、更新日時情報、およびスコアを抽出する。
【０３３６】
すなわち、制御部７３は、受信部７１から供給された関連IDに基づいて、その関連IDに対応付けられて記録部７４の副作用情報テーブルに格納されている副作用情報、更新者ID、更新者フラグ、および更新日時情報を抽出する。また、制御部７３は、抽出された更新者IDから更新者情報を生成するとともに、記録部７４に記録されている更新者スコアテーブルから、更新者IDに対応付けられているスコアを読み出す。
【０３３７】
制御部７３は、このようにして得られた副作用情報、更新者情報、更新者フラグ、更新日時情報、およびスコアを送信部７２に供給する。
【０３３８】
ステップＳ４１３において、送信部７２は、制御部７３から供給された副作用情報、更新者情報、更新者フラグ、更新日時情報、およびスコアを、ネットワークを介して情報端末装置１１に送信し、抽出処理は終了する。
【０３３９】
また、情報端末装置１１では、ステップＳ４０３において、受信部２１は情報管理装置６１から送信されてきた副作用情報、更新者情報、更新者フラグ、更新日時情報、およびスコアを受信して制御部２４に供給する。
【０３４０】
ステップＳ４０４において、表示色特定部３３は、受信部２１から供給された副作用情報および更新者フラグに基づいて、副作用情報により示される副作用内容ごとに、更新者フラグの合算値を算出する。
【０３４１】
ステップＳ４０５において、画像処理部３４は、受信部２１から供給された副作用情報およびスコアと、表示色特定部３３により算出された更新者フラグの合算値とに基づいて、更新者フラグの合算値に応じた表示色で、かつ更新者のスコアに応じた表示形式で副作用情報が表示される副作用表示画像の表示データを生成する。
【０３４２】
なお、この場合においても合算値が用いられずに、副作用情報の更新者のスコアに応じた表示形式で副作用情報が表示される副作用表示画像の表示データが生成されるようにしてもよいし、更新者のスコアが用いられずに、更新者フラグの合算値に応じた表示色で副作用情報が表示される副作用表示画像の表示データが生成されるようにしてもよい。
【０３４３】
ステップＳ４０６において、画像処理部３４は、受信部２１から供給された副作用情報、更新者情報、更新者フラグ、および更新日時情報に基づいて、記入履歴の表示データを生成する。ステップＳ４０６では、図８のステップＳ１２４と同様の処理が行われる。
【０３４４】
ステップＳ４０７において、表示制御部３２は、画像処理部３４により生成された副作用表示画像の表示データを表示部２６に供給するとともに、表示部２６を制御して、表示データに基づいて副作用表示画像を表示させる。また、表示制御部３２は、閲覧者からの指示に応じて、適宜、記入履歴の表示データに基づいて記入履歴を表示させたり、記入履歴の表示を解除したりする。副作用表示画像が表示されると、表示処理は終了する。
【０３４５】
以上のようにして、情報端末装置１１は、情報管理装置６１から必要な情報を取得し、副作用表示画像および記入履歴の表示データを生成し、副作用表示画像や記入履歴を表示する。このとき、副作用情報が更新者フラグの合算値に対して定められた表示色で、かつ更新者のスコアに応じた表示形式で表示されるようにすることで、より効果的に情報を提示することができる。
【０３４６】
なお、以上においては、副作用情報の更新者の立場として、患者、薬剤師、および医師の３種類の立場がある場合について説明したが、その他、患者の家族など、４以上の立場が設けられてもよい。
【０３４７】
さらに、以上において説明した実施の形態、つまり第１の実施の形態乃至第３の実施の形態の変形例１においては、更新される情報、つまり入力される情報が副作用情報である例について説明したが、入力される情報は、その他、既往症やアレルギー歴などの健康に関する情報や、個人に関する各種の入力情報など、どのような情報であってもよい。
【０３４８】
本技術を情報レコード一般に適用した場合においても、立場が異なる複数の更新者による情報の更新状況を一目で把握することができ、必要な情報更新の有無を知ることができる。これにより、情報共有等について、利便性を向上させることができる。
【０３４９】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０３５０】
図２９は、上述した一連の処理をプログラムにより実行するコンピュータのハードウェアの構成例を示すブロック図である。
【０３５１】
コンピュータにおいて、CPU（Central Processing Unit）５０１，ROM（Read Only Memory）５０２，RAM（Random Access Memory）５０３は、バス５０４により相互に接続されている。
【０３５２】
バス５０４には、さらに、入出力インターフェース５０５が接続されている。入出力インターフェース５０５には、入力部５０６、出力部５０７、記録部５０８、通信部５０９、及びドライブ５１０が接続されている。
【０３５３】
入力部５０６は、キーボード、マウス、マイクロフォン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブルメディア５１１を駆動する。
【０３５４】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０３５５】
コンピュータ（CPU５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０３５６】
コンピュータでは、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０３５７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３５８】
また、本技術の実施の形態は、上述した実施の形態に限定されるものではなく、本技術の要旨を逸脱しない範囲において種々の変更が可能である。
【０３５９】
例えば、本技術は、１つの機能をネットワークを介して複数の装置で分担、共同して処理するクラウドコンピューティングの構成をとることができる。
【０３６０】
また、上述のフローチャートで説明した各ステップは、１つの装置で実行する他、複数の装置で分担して実行することができる。
【０３６１】
さらに、１つのステップに複数の処理が含まれる場合には、その１つのステップに含まれる複数の処理は、１つの装置で実行する他、複数の装置で分担して実行することができる。
【０３６２】
さらに、本技術は、以下の構成とすることも可能である。
【０３６３】
［１］
情報を入力した１または複数の入力者の立場のそれぞれに対して定められた色の混合色を特定する表示色特定部と、
前記混合色で、かつ前記情報の最終入力者の立場に応じた表示形式で前記情報を表示させる表示データを生成する表示データ生成部と
を備える情報処理装置。
［２］
前記表示データ生成部は、前記最終入力者の立場に対して定められた色の下線、枠、背景、または囲み文字の枠が前記情報に対して表示される前記表示データを生成する
［１］に記載の情報処理装置。
［３］
前記情報は、薬剤の副作用に関する情報またはアレルギーに関する情報である
［１］または［２］に記載の情報処理装置。
［４］
情報を入力した１または複数の入力者の立場のそれぞれに対して定められた色の混合色を特定し、
前記混合色で、かつ前記情報の最終入力者の立場に応じた表示形式で前記情報を表示させる表示データを生成する
ステップを含む情報処理方法。
［５］
情報を入力した１または複数の入力者の立場のそれぞれに対して定められた色の混合色で、かつ前記情報の最終入力者の立場に応じた表示形式で前記情報を表示させる表示データを取得する取得部と、
前記表示データに基づいて前記情報を表示させる表示制御部と
を備える情報処理装置。
［６］
前記表示制御部は、指示に応じて、前記情報とその前記情報を入力した前記入力者とが前記情報の入力順に並べられて表示される記入履歴をさらに表示させる
［５］に記載の情報処理装置。
［７］
前記表示制御部は、前記記入履歴をポップアップ表示させる
［６］に記載の情報処理装置。
［８］
前記最終入力者の立場に対して定められた色の下線、枠、背景、または囲み文字の枠が前記情報に対して表示される
［５］乃至［７］の何れか一項に記載の情報処理装置。
［９］
前記情報は、薬剤の副作用に関する情報またはアレルギーに関する情報である
［５］乃至［８］の何れか一項に記載の情報処理装置。
［１０］
情報を入力した１または複数の入力者の立場のそれぞれに対して定められた色の混合色で、かつ前記情報の最終入力者の立場に応じた表示形式で前記情報を表示させる表示データを取得し、
前記表示データに基づいて前記情報を表示させる
ステップを含む情報処理方法。
［１１］
入力者により入力された情報、および前記入力者の信頼度を示すスコアを記録する記録部と、
所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新するスコア管理部と
を備える情報処理装置。
［１２］
前記スコア管理部は、前記非基準者である所定の前記入力者の前記スコアが所定の値となった場合、前記所定の前記入力者を前記非基準者から前記基準者に変更する
［１１］に記載の情報処理装置。
［１３］
前記情報を、その前記情報を入力した１または複数の前記入力者の前記スコアに応じた表示形式で表示させる表示データを生成する表示データ生成部をさらに備える
［１１］または［１２］に記載の情報処理装置。
［１４］
前記表示データ生成部は、前記情報を入力した１または複数の前記入力者の立場のそれぞれに対して定められた色の混合色で、かつ前記スコアに応じた表示形式で前記情報を表示させる前記表示データを生成する
［１３］に記載の情報処理装置。
［１５］
前記情報は、薬剤の副作用に関する情報またはアレルギーに関する情報である
［１１］乃至［１４］の何れか一項に記載の情報処理装置。
［１６］
入力者により入力された情報を、前記入力者の信頼度を示すスコアを記録する記録部に記録させ、
所定の前記入力者を基準者として、前記基準者により入力された前記情報と、前記基準者ではない非基準者である前記入力者により入力された前記情報とが一致するかの判定を行い、前記判定の結果に応じて前記非基準者の前記スコアを更新する
ステップを含む情報処理方法。
［１７］
互いに異なる１または複数の立場の入力者により入力された情報を、前記入力者の信頼度を示すスコアに応じた表示形式で表示させる表示データを取得する取得部と、
前記表示データに基づいて前記情報を表示させる表示制御部と
を備える情報処理装置。
［１８］
前記表示制御部は、前記表示データに基づいて、前記情報を入力した１または複数の前記入力者の立場のそれぞれに対して定められた色の混合色で、かつ前記スコアに応じた表示形式で前記情報を表示させる
［１７］に記載の情報処理装置。
［１９］
前記情報は、薬剤の副作用に関する情報またはアレルギーに関する情報である
［１７］または［１８］に記載の情報処理装置。
［２０］
互いに異なる１または複数の立場の入力者により入力された情報を、前記入力者の信頼度を示すスコアに応じた表示形式で表示させる表示データを取得し、
前記表示データに基づいて前記情報を表示させる
ステップを含む情報処理方法。
［２１］
互いに異なる１または複数の立場の入力者により入力された情報、および前記入力者の信頼度を示すスコアを記録する記録部と、
前記情報を、その前記情報を入力した１または複数の前記入力者の前記スコアに応じた表示形式で表示させる表示データを生成する表示データ生成部と
を備える情報処理装置。
【符号の説明】
【０３６４】
１１  情報端末装置，  ２４  制御部，  ３１  情報取得部，  ３２  表示制御部，  ３３  表示色特定部，  ３４  画像処理部，  ６１  情報管理部，  ７３  制御部，  ８１  記録制御部，  ８２  表示色特定部，  ８３  画像処理部，  １１１  スコア管理部
【図１】
2016133943.tif 000003
【図２】
2016133943.tif 000004
【図３】
2016133943.tif 000005
【図４】
2016133943.tif 000006
【図５】
2016133943.tif 000007
【図６】
2016133943.tif 000008
【図７】
2016133943.tif 000009
【図８】
2016133943.tif 000010
【図９】
2016133943.tif 000011
【図１０】
2016133943.tif 000012
【図１１】
2016133943.tif 000013
【図１２】
2016133943.tif 000014
【図１３】
2016133943.tif 000015
【図１４】
2016133943.tif 000016
【図１５】
2016133943.tif 000017
【図１６】
2016133943.tif 000018
【図１７】
2016133943.tif 000019
【図１８】
2016133943.tif 000020
【図１９】
2016133943.tif 000021
【図２０】
2016133943.tif 000022
【図２１】
2016133943.tif 000023
【図２２】
2016133943.tif 000024
【図２３】
2016133943.tif 000025
【図２４】
2016133943.tif 000026
【図２５】
2016133943.tif 000027
【図２６】
2016133943.tif 000028
【図２７】
2016133943.tif 000029
【図２８】
2016133943.tif 000030
【図２９】
2016133943.tif 000031